(57)【要約】  撮影装置（１０１）は、情報提供装置（１０２）に自装置を識別する装置情報（１４０）を送信する。情報提供装置（１０２）は、撮影装置（１０１）からの装置情報（１４０）に基づいて、構図ＤＢ（１３０）の中から、撮影装置（１０１）の撮影対象となる対象作物の種別に対応する構図画像を抽出する。情報提供装置（１０２）は、構図ＤＢ（１３０）の中から抽出した構図画像（１５０）を撮影装置（１０１）に送信する。撮影装置（１０１）は、情報提供装置（１０２）から取得した構図画像（１５０）を被写体とともにディスプレイ（１１０）に表示する。
2013030965.tif 000002
【特許請求の範囲】
【請求項１】
表示部と、
作物を撮影する際の撮影画像の構図を示す情報を前記作物に対して複数記憶する記憶部の中から、圃場に関する情報に基づいて決定された該構図を示す情報を取得する取得部と、
前記取得部によって取得された前記構図を示す情報を前記表示部に表示する表示制御部と、
を有することを特徴とする撮影装置。
【請求項２】
前記記憶部は、前記構図を示す情報を、前記作物の種別と前記作物の生育段階との組み合わせごとに記憶しており、
前記取得部は、
前記記憶部の中から、対象作物の種別と前記対象作物の生育段階との組み合わせに対応する構図を示す情報を取得することを特徴とする請求項１に記載の撮影装置。
【請求項３】
前記表示制御部は、
さらに、前記対象作物の種別と前記対象作物の生育段階とを特定する情報を前記表示部に表示することを特徴とする請求項２に記載の撮影装置。
【請求項４】
前記記憶部は、前記構図を示す情報を、前記作物の種別と前記作物の生育段階と前記作物を撮影する撮影対象との組み合わせごとに記憶しており、
前記取得部は、
前記記憶部の中から、前記対象作物の種別と前記対象作物の生育段階と前記対象作物を撮影する撮影対象との組み合わせに対応する構図を示す情報を取得することを特徴とする請求項１〜３のいずれか一つに記載の撮影装置。
【請求項５】
前記表示制御部は、
さらに、前記対象作物を撮影する撮影対象を特定する情報を前記表示部に表示することを特徴とする請求項４に記載の撮影装置。
【請求項６】
圃場群の中から撮影対象となる対象圃場を特定する特定部と、
前記圃場群の各々の圃場で栽培されている作物の種別を特定する作物情報を記憶する作物情報記憶部の中から、前記特定部によって特定された前記対象圃場で栽培されている作物の種別を特定する作物情報を抽出する抽出部と、を有し、
前記取得部は、
前記記憶部の中から、前記抽出部によって抽出された前記作物情報から特定される作物の種別に対応する構図を示す情報を取得することを特徴とする請求項１〜５のいずれか一つに記載の撮影装置。
【請求項７】
前記記憶部は、前記構図を示す情報を、前記作物の種別と前記作物の生育段階との組み合わせごとに記憶しており、
前記作物情報記憶部は、前記圃場群の各々の圃場で栽培されている作物の種別と前記作物の生育段階とを特定する作物情報を記憶しており、
前記取得部は、
前記記憶部の中から、前記抽出部によって抽出された前記作物情報から特定される作物の種別と前記作物の生育段階との組み合わせに対応する構図を示す情報を取得することを特徴とする請求項６に記載の撮影装置。
【請求項８】
前記記憶部および前記作物情報記憶部は、前記撮影装置が有する記憶部であることを特徴とする請求項１に記載の撮影装置。
【請求項９】
自装置を識別する装置情報を、前記記憶部を有する情報提供装置に送信する送信部を有し、
前記取得部は、
前記送信部によって前記装置情報が送信された結果、前記記憶部に記憶されている構図を示す情報群のうち、前記装置情報から特定される圃場で栽培されている作物の種別に対応する構図を示す情報を前記情報提供装置から取得することを特徴とする請求項１〜７のいずれか一つに記載の撮影装置。
【請求項１０】
前記記憶部は、前記構図を示す情報を、前記作物の種別と前記作物の生育段階との組み合わせごとに記憶しており、
前記取得部は、
前記送信部によって前記装置情報が送信された結果、前記記憶部に記憶されている構図を示す情報群のうち、前記装置情報から特定される圃場で栽培されている作物の種別と前記作物の生育段階との組み合わせに対応する構図を示す情報を前記情報提供装置から取得することを特徴とする請求項９に記載の撮影装置。
【請求項１１】
前記自装置の位置情報を取得する位置情報取得部を有し、
前記送信部は、
前記位置情報取得部によって取得された前記自装置の位置情報を含む前記装置情報を前記情報提供装置に送信し、
前記取得部は、
前記送信部によって前記装置情報が送信された結果、前記記憶部に記憶されている構図を示す情報群のうち、前記自装置の位置情報から特定される圃場で栽培されている作物の種別に対応する構図を示す情報を前記情報提供装置から取得することを特徴とする請求項９または１０に記載の撮影装置。
【請求項１２】
前記表示部は、前記撮影装置が有する撮影部により撮影される被写体を表示する表示部であり、
前記表示制御部は、前記構図を示す情報を、前記被写体とともに前記表示部に表示することを特徴とする請求項１〜１１のいずれか一つに記載の撮影装置。
【請求項１３】
コンピュータに、
作物を撮影する際の撮影画像の構図を示す情報を前記作物に対して複数記憶する記憶部の中から、圃場に関する情報に基づいて決定された該構図を示す情報を取得し、
表示部を制御して、取得した前記構図を示す情報を表示する、
処理を実行させることを特徴とする撮影支援プログラム。
【請求項１４】
コンピュータにより実行される方法であって、該コンピュータが、
撮影対象とする圃場を特定可能な情報を、前記コンピュータと通信可能に接続された撮影装置から受信し、
作物を撮影する際の撮影画像の構図を示す情報を前記作物に対して複数記憶する記憶部の中から、受信した前記情報に基づいて特定された圃場に基づいて、該構図を示す情報を抽出し、
抽出した前記構図を示す情報を前記撮影装置に送信する、
処理を実行することを特徴とする情報提供方法。
【請求項１５】
前記撮影装置から受信された前記情報は前記撮影装置を識別する装置情報であって、
前記コンピュータが、該装置情報に基づいて、圃場群の中から前記撮影装置の撮影対象となる対象圃場を特定し、
前記圃場群の各々の圃場で栽培されている作物の種別を特定する作物情報を記憶する作物情報記憶部の中から、特定した前記対象圃場で栽培されている作物の種別を特定する作物情報を抽出する、処理を実行し、
前記構図を示す情報を抽出する処理は、
前記記憶部の中から、抽出した前記作物情報から特定される作物の種別に対応する構図を示す情報を抽出することを特徴とする請求項１４に記載の情報提供方法。
【請求項１６】
前記記憶部は、前記作物を撮影する際の撮影画像の構図を示す情報を、前記作物の種別と前記作物の生育段階との組み合わせごとに記憶しており、
前記作物情報記憶部は、前記圃場群の各々の圃場で栽培されている作物の種別と前記作物の生育段階とを特定する作物情報を記憶しており、
前記構図を示す情報を抽出する処理は、
前記記憶部の中から、抽出した前記作物情報から特定される作物の種別と前記作物の生育段階との組み合わせに対応する構図を示す情報を抽出することを特徴とする請求項１５に記載の情報提供方法。
【請求項１７】
前記記憶部は、前記構図を示す情報を、前記作物の種別と前記作物の生育段階と前記作物を撮影する撮影対象との組み合わせごとに記憶しており、
前記コンピュータが、前記対象圃場で行われる農作業の作業予定を示す作業予定情報に基づいて、前記対象圃場で栽培されている作物を撮影する撮影対象を特定する処理を実行し、
前記構図を示す情報を抽出する処理は、
前記記憶部の中から、特定した前記撮影対象と抽出した前記作物情報から特定される作物の種別と前記作物の生育段階との組み合わせに対応する構図を示す情報を抽出することを特徴とする請求項１５または１６に記載の情報提供方法。
【請求項１８】
コンピュータに、
撮影対象とする圃場を特定可能な情報を撮影装置から受信し、
作物を撮影する際の撮影画像の構図を示す情報を前記作物に対して複数記憶する記憶部の中から、受信した前記情報に基づいて特定された圃場に基づいて決定された該構図を示す情報を抽出し、
抽出した前記構図を示す情報を前記撮影装置に送信する、
処理を実行させることを特徴とする情報提供プログラム。
【発明の詳細な説明】
【技術分野】
【０００１】
本発明は、撮影を支援する撮影装置、撮影支援プログラム、情報提供方法、および情報提供プログラムに関する。
【背景技術】
【０００２】
従来から、圃場で栽培されている農作物の生育状況を把握する材料として、農作物を撮影した写真が用いられている。例えば、大規模農場の経営者は、従業員が現場で撮影した写真から農作物の生育状況を把握することにより、農作物の生育状況に合った対応策を検討する。【０００３】
関連する先行技術として、工事記録写真の撮影を支援するものがある。例えば、各撮影箇所に撮影番号が付記された地図、撮影番号ごとの撮影指示、撮影番号ごとの写真見出し項目を記憶する各種メモリを有し、入力される地図呼出し信号に基づいて地図を、撮影番号に基づいて撮影指示または写真見出し項目を表示する技術がある（例えば、下記特許文献１参照。）。【０００４】
また、写真撮影において予め設定された複数の構図の中から一の構図を選択する技術がある。例えば、予め設定された撮影のための構図を選択キーと対応付けて格納するメモリを有し、選択キーが押されると、押された選択キーに対応する構図をメモリから選択して表示部に表示させる技術がある（例えば、下記特許文献２参照。）。
【先行技術文献】
【特許文献】
【０００５】
【特許文献１】特開平６−１９４７３８号公報
【特許文献２】特開平１１−２４１５３号公報
【発明の概要】
【発明が解決しようとする課題】
【０００６】
しかしながら、上述した従来技術では、圃場で栽培されている農作物を撮影する際に、撮影者がどこを重視して撮影すればよいのか分からず、撮影された写真が農作物の生育状況を把握する材料として不適切なものとなってしまう場合があるという問題がある。【０００７】
例えば、同一の圃場であっても栽培中の作物の種別（例えば、品目、品種、作型）ごとに、撮影時に着目すべき箇所が異なる場合がある。このため、熟練度の低い作業者は、農作物のどこを重視して撮影すればよいのか判断できず、農作物の生育状況を把握する材料として適切な写真を撮影することが難しい場合がある。【０００８】
本発明は、上述した従来技術による問題点を解消するため、作物の撮影を支援することができる撮影装置、撮影支援プログラム、情報提供方法、および情報提供プログラムを提供することを目的とする。
【課題を解決するための手段】
【０００９】
上述した課題を解決し、目的を達成するため、本発明の一側面によれば、作物を撮影する際の撮影画像の構図を示す情報を前記作物に対して複数記憶する記憶部の中から、圃場に関する情報に基づいて決定された該構図を示す情報を取得し、表示部を制御して、取得した前記構図を示す情報を表示する撮影装置および撮影支援プログラムが提案される。【００１０】
また、上述した課題を解決し、目的を達成するため、本発明の一側面によれば、撮影対象とする圃場を特定可能な情報を、通信可能に接続された撮影装置から受信し、作物を撮影する際の撮影画像の構図を示す情報を前記作物に対して複数記憶する記憶部の中から、受信した前記情報に基づいて特定された圃場に基づいて、該構図を示す情報を抽出し、抽出した前記構図を示す情報を前記撮影装置に送信する情報提供方法および情報提供プログラムが提案される。
【発明の効果】
【００１１】
本発明の一側面によれば、作物の撮影を支援することができるという効果を奏する。
【図面の簡単な説明】
【００１２】
【図１】図１は、実施の形態１にかかる撮影支援方法の一実施例を示す説明図である。
【図２】図２は、実施の形態１にかかる撮影支援システム２００のシステム構成例を示す説明図である。
【図３】図３は、撮影装置１０１のハードウェア構成例を示すブロック図である。
【図４】図４は、情報提供装置１０２等のハードウェア構成例を示すブロック図である。
【図５】図５は、構図ＤＢ１３０の記憶内容の一例を示す説明図である。
【図６】図６は、圃場ＤＢ２２０の記憶内容の一例を示す説明図である。
【図７】図７は、撮影画像ＤＢ２３０の記憶内容の一例を示す説明図である。
【図８】図８は、実施の形態１にかかる撮影装置１０１の機能的構成を示すブロック図である。
【図９】図９は、ファインダ画面ＦＳの画面例を示す説明図（その１）である。
【図１０】図１０は、ファインダ画面ＦＳの画面例を示す説明図（その２）である。
【図１１】図１１は、ファインダ画面ＦＳの画面例を示す説明図（その３）である。
【図１２】図１２は、ファインダ画面ＦＳの画面例を示す説明図（その４）である。
【図１３】図１３は、実施の形態１にかかる情報提供装置１０２の機能的構成を示すブロック図である。
【図１４】図１４は、作業予定情報の具体例を示す説明図である。
【図１５】図１５は、見回り結果一覧画面１５００の画面例を示す説明図である。
【図１６】図１６は、実施の形態１にかかる撮影装置１０１の撮影支援処理手順の一例を示すフローチャート（その１）である。
【図１７】図１７は、実施の形態１にかかる撮影装置１０１の撮影支援処理手順の一例を示すフローチャート（その２）である。
【図１８】図１８は、実施の形態１にかかる情報提供装置１０２の情報提供処理手順の一例を示すフローチャートである。
【図１９】図１９は、構図情報抽出処理の具体的処理手順の一例を示すフローチャートである。
【図２０】図２０は、実施の形態２にかかる撮影装置１０１の機能的構成を示すブロック図である。
【図２１】図２１は、実施の形態２にかかる撮影装置１０１の撮影支援処理手順の一例を示すフローチャートである。
【発明を実施するための形態】
【００１３】
以下に添付図面を参照して、この発明にかかる撮影装置、撮影支援プログラム、情報提供方法、および情報提供プログラムの実施の形態を詳細に説明する。
【００１４】
（実施の形態１）
図１は、実施の形態１にかかる撮影支援方法の一実施例を示す説明図である。図１において、撮影装置１０１は、作業者Ｗが使用する可搬型のコンピュータである。撮影装置１０１は、ディスプレイ１１０とカメラ１２０とを有する。ディスプレイ１１０は、撮影装置１０１の画面出力部として動作することも、カメラ１２０のファインダ画面としても動作することもできる。ディスプレイ１１０は、被写体を表示する。カメラ１２０は、ディスプレイ１１０に表示された被写体を撮影する。
【００１５】
ここで、作業者Ｗとは、農作業に従事する者である。作業者Ｗは、農作業の一環として圃場で栽培されている作物を撮影する。圃場とは、作物を栽培、生育するための田畑、菜園などである。作物とは、例えば、田畑や菜園などで作られる穀類や野菜などの農作物である。
【００１６】
情報提供装置１０２は、構図ＤＢ（データベース）１３０を備え、撮影装置１０１に構図画像を提供するコンピュータである。ここで、構図ＤＢ１３０は、作物を撮影する際の撮影画像の構図を表す構図画像を作物の種別ごとに記憶するデータベースである。作物の種別とは、作物を分類するための情報である。例えば、作物の種別は、作物の品目、品種、作型などを用いて分類される。また、構図とは、撮影画像の仕上がりの効果を配慮した撮影画面の構成である。なお、構図ＤＢ１３０の記憶内容については、図５を用いて後述する。
【００１７】
本実施の形態では、撮影対象となる対象作物の撮影時に、カメラ１２０のファインダ画面に対象作物の種別に適した構図を被写体とともに表示する。これにより、どこを重視して撮影すればよいのかの撮影者の判断を容易にして、作物の生育状況を把握し易い写真の撮影を可能にする。ファインダ画面とは、撮影画像の撮影範囲や構図を決めたりピントを合わせたりするのに使用する画面（または、覗き窓）である。
【００１８】
以下、実施の形態１にかかる撮影支援方法の一実施例について説明する。ここでは、撮影対象となる対象作物として、圃場で栽培されている「水稲」を撮影する場合を例に挙げて説明する。
【００１９】
（１）撮影装置１０１は、情報提供装置１０２に自装置を識別する装置情報１４０を送信する。ここで、装置情報１４０は、例えば、撮影装置１０１の装置ＩＤ（ｉｄｅｎｔｉｆｉｃａｔｉｏｎ）、作業者Ｗの作業者ＩＤ、撮影装置１０１の位置情報の、少なくともいずれか一つを含む情報である。
【００２０】
（２）情報提供装置１０２は、撮影装置１０１からの装置情報１４０に基づいて、構図ＤＢ１３０の中から、撮影装置１０１の撮影対象となる対象作物の種別に対応する構図画像を抽出する。対象作物の種別は、例えば、装置情報１４０に含まれる装置ＩＤ、作業者ＩＤ、撮影装置１０１の位置情報などから特定される。
【００２１】
（３）情報提供装置１０２は、構図ＤＢ１３０の中から抽出した構図画像１５０を撮影装置１０１に送信する。構図画像１５０は、対象作物を撮影する際の撮影画像の構図を表す画像情報であり、対象作物の種別に対応している。
【００２２】
（４）撮影装置１０１は、情報提供装置１０２から取得した構図画像１５０を被写体とともにディスプレイ１１０に表示する。具体的には、例えば、撮影装置１０１が、ディスプレイ１１０に表示されるカメラ１２０のファインダ画面に被写体とともに構図画像１５０を表示する。
【００２３】
図１の（１−１）に示す例では、撮影装置１０１のカメラ１２０が起動された結果、ディスプレイ１１０上のファインダ画面１６０に構図画像１５０が表示されている。構図画像１５０は、線分１５１と、文字１５２と、文字１５３と、を含む画像情報である。なお、ファインダ画面１６０には、被写体と構図画像１５０とが重畳表示されることになるが、図面では被写体の表示を省略している。
【００２４】
ここで、線分１５１は、ファインダ画面１６０を水平方向に区切って２分割する線である。文字１５２は、ファインダ画面１６０を２分割した領域のうち上側の領域に収めるべき被写体（ここでは、「空」）を表している。また、文字１５３は、ファインダ画面１６０を２分割した領域のうち上側の領域に収めるべき被写体（ここでは、「圃場」）を表している。
【００２５】
構図画像１５０によれば、作業者Ｗは、圃場で栽培されている「水稲」を撮影する際に、ファインダ画面１６０を２分割した領域のうち上側の領域に「空」を収め、下側の領域に「圃場」を収めればよいことを認識することができる。すなわち、作業者Ｗは、圃場全体に着目して「水稲」を撮影すればよいことがわかる。
【００２６】
図１の（１−２）に示す例では、撮影対象となる「水稲」が撮影された結果、ディスプレイ１１０に撮影画像１７０が表示されている。撮影画像１７０は、上側に背景となる空が写り、下側に圃場全体の水稲が写った構図となっている。撮影画像１７０によれば、圃場で栽培されている水稲の生育状況をまんべんなく把握することができる。
【００２７】
以上説明した、実施の形態１にかかる撮影支援方法によれば、撮影対象となる対象作物を撮影する際に、対象作物の種別に対応する撮影画像の構図を表す構図画像をファインダ画面に表示することができる。これにより、対象作物の撮影時に、作成者Ｗがファインダ画面に表示された構図画像を基準にして、どのような構図で何を重視した撮影を行えばよいのか容易に判断することができる。また、対象作物の種別特有の構図に従って撮影することにより、対象作物の生育状況を把握し易い撮影画像を得ることができる。
【００２８】
例えば、作物を上手く栽培することができた過去の成功事例と、現在栽培中の圃場における作物の写真群とを一覧表示して比較しようとした場合を想定する。ここで、両圃場の作物間で比較すべき部分が、バラバラな位置に写っていたり、不鮮明であったり、写っていなかったりすれば、ユーザは一覧された写真群を利用した比較作業を行うことが難しくなる。実施の形態１にかかる撮影支援方法によって撮影された画像は、生育状況を把握するために着目すべき部分が、複数の写真それぞれにおいて略同じ位置に、鮮明に撮影に写されている。従って、本撮影支援方法であれば、撮影された画像の可用性を高めることができる。
【００２９】
（撮影支援システム２００のシステム構成例）
つぎに、実施の形態１にかかる撮影支援システム２００のシステム構成例について説明する。図２は、実施の形態１にかかる撮影支援システム２００のシステム構成例を示す説明図である。図２において、撮影支援システム２００は、複数の撮影装置１０１（図面では、３台）と、情報提供装置１０２と、クライアント装置２０１と、を含む。
【００３０】
撮影支援システム２００において、撮影装置１０１、情報提供装置１０２およびクライアント装置２０１は、有線または無線のネットワーク２４０を介して接続されている。ネットワーク２４０は、例えば、インターネット、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）などである。
【００３１】
ここで、撮影装置１０１は、撮影画像ＤＢ２１０を有し、農作業に従事する各々の作業者Ｗが使用する可搬型のコンピュータである。撮影装置１０１は、撮影機能および通信機能および表示機能を有していればよい。撮影装置１０１は、例えば、デジタルカメラ、携帯電話、ＰＤＡ（Ｐｅｒｓｏｎａｌ  Ｄｉｇｉｔａｌ  Ａｓｓｉｓｔａｎｔ）、スマートフォンなどに適用することができる。
【００３２】
情報提供装置１０２は、構図ＤＢ１３０、圃場ＤＢ２２０および撮影画像ＤＢ２３０を有し、各々の作業者Ｗが使用する撮影装置１０１に構図画像を提供するコンピュータである。また、情報提供装置１０２は、各々の作業者Ｗが使用する撮影装置１０１で撮影された撮影画像を一元的に管理することができる。
【００３３】
情報提供装置１０２は、例えば、クラウドコンピューティングシステムに含まれるサーバや大規模農場の経営者によって使用されるＰＣ（パーソナル・コンピュータ）、ノートＰＣなどに適用することができる。なお、各種ＤＢ１３０，２２０，２３０の記憶内容については、図５〜図７を用いて後述する。
【００３４】
クライアント装置２０１は、情報提供装置１０２にアクセスして、撮影画像ＤＢ２３０に格納されている撮影画像を閲覧する機能を有するコンピュータである。クライアント装置２０１は、例えば、農場の経営者や従業員によって使用されるＰＣやノートＰＣである。
【００３５】
（撮影装置１０１のハードウェア構成例）
図３は、撮影装置１０１のハードウェア構成例を示すブロック図である。図３において、撮影装置１０１は、ＣＰＵ（Ｃｅｎｔｒａｌ  Ｐｒｏｃｅｓｓｉｎｇ  Ｕｎｉｔ）３０１と、メモリ３０２と、Ｉ／Ｆ（Ｉｎｔｅｒｆａｃｅ）３０３と、操作ボタン３０４と、ＧＰＳ（Ｇｌｏｂａｌ  Ｐｏｓｉｔｉｏｎｉｎｇ  Ｓｙｓｔｅｍ）ユニット３０５と、ディスプレイ１１０と、カメラ１２０と、を有する。また、各構成部はバス３００によってそれぞれ接続されている。
【００３６】
ここで、ＣＰＵ３０１は、撮影装置１０１の全体の制御を司る。メモリ３０２は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）およびフラッシュＲＯＭなどを含む。ＲＯＭおよびフラッシュＲＯＭは、例えば、ブートプログラムなどの各種プログラムを記憶する。ＲＡＭは、ＣＰＵ３０１のワークエリアとして使用される。
【００３７】
Ｉ／Ｆ３０３は、通信回線を通じてネットワーク２４０に接続され、ネットワーク２４０を介して他の装置（例えば、情報提供装置１０２、クライアント装置２０１）に接続される。そして、Ｉ／Ｆ３０３は、ネットワーク２４０と内部のインターフェースを司り、外部装置からのデータの入出力を制御する。
【００３８】
操作ボタン３０４は、データの入力を行う。操作ボタン３０４は、文字、数字、各種指示などの入力のためのキーを備えるものであってもよく、また、タッチパネル式の入力パッドやテンキーなどであってもよい。
【００３９】
ＧＰＳユニット３０５は、ＧＰＳ衛星からの電波を受信し、撮影装置１０１の位置情報を出力する。撮影装置１０１の位置情報は、例えば、緯度、経度などの地球上の１点を特定する情報である。また、撮影装置１０１は、ＤＧＰＳ（Ｄｉｆｆｅｒｅｎｔｉａｌ  ＧＰＳ）により、ＧＰＳユニット３０５から出力される位置情報を補正することにしてもよい。
【００４０】
ディスプレイ１１０は、カーソル、アイコンあるいはツールボックスをはじめ、文書、画像、機能情報などのデータを表示する。ディスプレイ１１０は、タッチパネル式の入力パッドやテンキーなどの操作ボタン３０４と組み合わせたものであってもよい。ディスプレイ１１０としては、例えば、ＬＣＤ（Ｌｉｑｕｉｄ  Ｃｒｙｓｔａｌ  Ｄｉｓｐｌａｙ）を採用することができる。
【００４１】
カメラ１２０は、静止画または動画を撮影し、画像データとして出力する。カメラ１２０により撮影された撮影画像は、例えば、画像データとしてメモリ３０２に記録される。なお、カメラ１２０は、夜間での撮影を可能とする赤外線カメラであってもよい。また、撮影装置１０１は、上述した構成部のほかに、ジャイロセンサ、３軸加速度センサなどの各種センサを有することにしてもよい。
【００４２】
（情報提供装置１０２等のハードウェア構成例）
つぎに、図２に示した情報提供装置１０２およびクライアント装置２０１（ここでは、単に「情報提供装置１０２等」と表記する）のハードウェア構成例について説明する。
【００４３】
図４は、情報提供装置１０２等のハードウェア構成例を示すブロック図である。図４において、情報提供装置１０２等は、ＣＰＵ４０１と、ＲＯＭ４０２と、ＲＡＭ４０３と、磁気ディスクドライブ４０４と、磁気ディスク４０５と、光ディスクドライブ４０６と、光ディスク４０７と、ディスプレイ４０８と、Ｉ／Ｆ４０９と、キーボード４１０と、マウス４１１と、スキャナ４１２と、プリンタ４１３と、を有している。また、各構成部はバス４００によってそれぞれ接続されている。
【００４４】
ここで、ＣＰＵ４０１は、情報提供装置１０２等の全体の制御を司る。ＲＯＭ４０２は、ブートプログラムなどのプログラムを記憶している。ＲＡＭ４０３は、ＣＰＵ４０１のワークエリアとして使用される。磁気ディスクドライブ４０４は、ＣＰＵ４０１の制御にしたがって磁気ディスク４０５に対するデータのリード／ライトを制御する。磁気ディスク４０５は、磁気ディスクドライブ４０４の制御で書き込まれたデータを記憶する。
【００４５】
光ディスクドライブ４０６は、ＣＰＵ４０１の制御にしたがって光ディスク４０７に対するデータのリード／ライトを制御する。光ディスク４０７は、光ディスクドライブ４０６の制御で書き込まれたデータを記憶したり、光ディスク４０７に記憶されたデータをコンピュータに読み取らせたりする。
【００４６】
ディスプレイ４０８は、カーソル、アイコンあるいはツールボックスをはじめ、文書、画像、機能情報などのデータを表示する。ディスプレイ４０８としては、例えば、ＣＲＴ、ＴＦＴ液晶ディスプレイ、プラズマディスプレイなどを採用することができる。
【００４７】
Ｉ／Ｆ４０９は、通信回線を通じてネットワーク２４０に接続され、ネットワーク２４０を介して他の装置（例えば、撮影装置１０１）に接続される。そして、Ｉ／Ｆ４０９は、ネットワーク２４０と内部のインターフェースを司り、外部装置からのデータの入出力を制御する。Ｉ／Ｆ４０９には、例えば、モデムやＬＡＮアダプタなどを採用することができる。
【００４８】
キーボード４１０は、文字、数字、各種指示などの入力のためのキーを備え、データの入力を行う。また、タッチパネル式の入力パッドやテンキーなどであってもよい。マウス４１１は、カーソルの移動や範囲選択、あるいはウィンドウの移動やサイズの変更などを行う。ポインティングデバイスとして同様に機能を備えるものであれば、トラックボールやジョイスティックなどであってもよい。
【００４９】
スキャナ４１２は、画像を光学的に読み取り、情報提供装置１０２内に画像データを取り込む。なお、スキャナ４１２は、ＯＣＲ（Ｏｐｔｉｃａｌ  Ｃｈａｒａｃｔｅｒ  Ｒｅａｄｅｒ）機能を持たせてもよい。また、プリンタ４１３は、画像データや文書データを印刷する。プリンタ４１３には、例えば、レーザプリンタやインクジェットプリンタを採用することができる。
【００５０】
なお、情報提供装置１０２は、上述した構成部のうち、光ディスクドライブ４０６や光ディスク４０７やディスプレイ４０８やキーボード４１０やマウス４１１やスキャナ４１２やプリンタ４１３を有していなくてもよい。
【００５１】
（各種ＤＢ１３０，２２０，２３０の記憶内容）
つぎに、情報提供装置１０２が備える各種ＤＢ１３０，２２０，２３０の記憶内容について説明する。各種ＤＢ１３０，２２０，２３０は、例えば、図４に示した情報提供装置１０２のＲＡＭ４０３、磁気ディスク４０５、光ディスク４０７などの記憶部により実現される。
【００５２】
＜構図ＤＢ１３０の記憶内容＞
図５は、構図ＤＢ１３０の記憶内容の一例を示す説明図である。図５において、構図ＤＢ１３０は、作物名、生育ステージ、撮影目的、構図画像のフィールドを有する。各フィールドに情報を設定することで、作物名と生育ステージとの組み合わせごとの構図情報（例えば、構図情報５００−１〜５００−１６）がレコードとして記憶されている。
【００５３】
作物名は、作物の名称である。作物名は、作物の種別を表している。生育ステージは、作物の生育段階を示す情報である。水稲の生育ステージを例に挙げると、田植期、活着期、幼穂形成期、出穂期、登熟期、成熟期、収穫期などがある。また、キャベツの生育ステージを例に挙げると、播種期、育苗期、移植期、定植期、生育期、収穫期などがある。
【００５４】
撮影目的は、作物を撮影する目的を表している。別の言い方をすれば、撮影された画像上で確認されるべき対象、すなわち撮影対象を示している。例えば、水稲であれば、稲の苗を水田に植え付ける田植期は、植え付けた苗の列（条）と列との間の間隔（条間）を確認する。このため、作物名「水稲」の生育ステージ「田植期」における撮影目的は「条間確認」となる。
【００５５】
また、田植え直後の活着期は、水面に出ている茎の太さが所定の太さになっているかによって活着しているか否かを確認したり、苗の葉の色を確認する。このため、作物名「水稲」の生育ステージ「活着期」における撮影目的は「苗確認」となる。また、減農薬の水田では、田植え直後の活着期は、赤虫が出ているか否かによって水田が健康な状態か否かを確認する。このため、作物名「水稲」の生育ステージ「活着期」における撮影目的は「田圃状態確認」となる。
【００５６】
構図画像は、作物を撮影する際の撮影画像の構図を表す画像情報である。構図画像が表す構図は、撮影者に対して、どこを重視して撮影すればよいのかをガイドする役割を持つ。なお、構図画像の具体例については、図９〜図１２を用いて後述する。構図情報５００−１を例に挙げると、作物名「水稲」の生育ステージ「田植期」における撮影目的「条間確認」および構図画像「Ｃ１」が示されている。
【００５７】
なお、構図画像として記憶されているデータは、構図を示す情報であれば、画像情報に限るものではない。例えば、ミカンの収穫期の剪定確認用途であれば「剪定した切り口が画像中央に写るように撮影して下さい」という文字情報又は音声情報を、構図を示す情報として記憶させることが考えられる。このように、撮影すべき箇所についての情報と、該撮影すべき箇所が画像上のどの位置に写されるべきかを示す情報とが含まれていれば、撮影者に対して構図を指示する文字情報や音声情報であってもよい。
【００５８】
＜圃場ＤＢ２２０の記憶内容＞
図６は、圃場ＤＢ２２０の記憶内容の一例を示す説明図である。図６において、圃場ＤＢ２２０は、圃場ＩＤ、圃場名、作物名、生育ステージおよび圃場位置のフィールドを有する。各フィールドに情報を設定することで、圃場Ｆ１〜Ｆｎの圃場情報６００−１〜６００−ｎがレコードとして記憶されている。
【００５９】
ここで、圃場ＩＤは、各地に点在する圃場Ｆ１〜Ｆｎを一意に識別する識別子である。圃場Ｆ１〜Ｆｎは、例えば、クライアント装置２０１を使用する大規模農場の経営者が管理している圃場である。以下、圃場Ｆ１〜Ｆｎのうち任意の圃場を「圃場Ｆｉ」と表記する（ｉ＝１，２，…，ｎ）。
【００６０】
圃場名は、圃場Ｆｉの名称である。作物名は、圃場Ｆｉで栽培されている作物の名称である。生育ステージは、圃場Ｆｉで栽培されている作物の生育段階を示す情報である。圃場位置は、圃場Ｆｉの位置情報である。圃場位置は、例えば、地図上にマッピングされた圃場Ｆｉの重心位置や、圃場Ｆｉの北端位置、西端位置、東端位置、南端位置などのエリアを特定する情報である。
【００６１】
圃場情報６００−１を例に挙げると、圃場Ｆ１の圃場名「圃場Ａ」、作物名「キャベツ」、生育ステージ「播種期」および圃場位置「Ｌ１」が示されている。なお、圃場ＤＢ２２０には、例えば、圃場Ｆｉで行われる農作業の作業予定を示す作業予定情報が含まれていてもよい。作業予定情報についての具体的な説明は、図１４を用いて後述する。
【００６２】
＜撮影画像ＤＢ２３０の記憶内容＞
図７は、撮影画像ＤＢ２３０の記憶内容の一例を示す説明図である。図７において、撮影画像ＤＢ２３０は、画像ＩＤ、撮影日、撮影時刻、撮影者、圃場ＩＤ、圃場名および画像情報のフィールドを有する。各フィールドに情報を設定することで、撮影情報（例えば、撮影情報７００−１、７００−２）がレコードとして記憶されている。
【００６３】
画像ＩＤは、撮影装置１０１により撮影された撮影画像を一意に識別する識別子である。撮影日は、撮影画像が撮影された年月日である。撮影時刻は、撮影画像が撮影された時刻である。撮影者は、撮影画像を撮影した作業者Ｗを特定する情報（例えば、作業者ＩＤ）である。圃場ＩＤは、圃場Ｆｉの識別子である。圃場名は、圃場Ｆｉの名称である。
【００６４】
画像情報は、撮影装置１０１により撮影された撮影画像の画像情報である。画像情報には、対象作物を特定する作物情報および対象作物を撮影する撮影目的を表す撮影目的情報が含まれている。なお、作物情報および撮影目的情報についての詳細な説明は後述する。
【００６５】
撮影情報７００−１を例に挙げると、撮影画像Ｐ１の撮影日「２０１０／９／２１」、撮影時刻「１４：４５」、撮影者「作業者Ａ」、圃場ＩＤ「Ｆ１」、圃場名「圃場Ａ」および画像情報「Ｄ１」が示されている。各撮影情報には、撮影画像の撮影時における撮影装置１０１の位置情報（すなわち、撮影地点）が含まれていてもよい。
【００６６】
なお、撮影装置１０１が備える撮影画像ＤＢ２１０の記憶内容については、上述した情報提供装置１０２が備える撮影画像ＤＢ２３０と同様のため、ここでは図示および説明を省略する。撮影画像ＤＢ２１０は、例えば、図３に示した撮影装置１０１のメモリ３０２により実現される。
【００６７】
（撮影装置１０１の機能的構成例）
図８は、実施の形態１にかかる撮影装置１０１の機能的構成を示すブロック図である。図８において、撮影装置１０１は、取得部８０１と、送信部８０２と、受信部８０３と、表示制御部８０４と、出力部８０５と、を含む構成である。取得部８０１〜出力部８０５は制御部となる機能であり、具体的には、例えば、図３に示したメモリ３０２に記憶されたプログラムをＣＰＵ３０１に実行させることにより、または、Ｉ／Ｆ３０３により、その機能を実現する。各機能部の処理結果は、例えば、メモリ３０２に記憶される。
【００６８】
取得部８０１は、自装置の装置情報を取得する機能を有する。自装置の装置情報は、例えば、自装置の装置ＩＤ、自装置を使用する作業者Ｗの作業者ＩＤ、自装置の位置情報などを含む情報である。自装置の装置ＩＤおよび作業者Ｗの作業者ＩＤは、例えば、メモリ３０２に記憶されている。自装置の位置情報は、例えば、図３に示したＧＰＳユニット３０５により取得される。なお、自装置の位置情報は、ＧＰＳユニット３０５から出力される位置情報をＤＧＰＳにより補正した補正後の位置情報であってもよい。
【００６９】
また、自装置の装置情報には、撮影対象となる対象圃場の圃場名や圃場ＩＤ、対象作物の作物名や生育ステージ、対象作物を撮影する撮影目的などを表す情報が含まれていてもよい。対象圃場の圃場名、圃場ＩＤ、対象作物の作物名、生育ステージおよび対象作物を撮影する撮影目的は、例えば、図３に示した操作ボタン３０４を用いた作業者Ｗの操作入力により、撮影装置１０１に直接入力される。
【００７０】
送信部８０２は、自装置の装置情報を情報提供装置１０２に送信する機能を有する。具体的には、例えば、カメラ１２０が起動された場合に、送信部８０２が、ネットワーク２４０を介して、自装置の装置情報を情報提供装置１０２に送信する。
【００７１】
受信部８０３は、自装置の装置情報が情報提供装置１０２に送信された結果、撮影対象となる対象作物を撮影する際の撮影画像の構図を表す構図画像を情報提供装置１０２から受信する機能を有する。以下、構図画像を代表して、構図画像のうちの１つを「構図画像Ｃ」と表記する場合がある。具体的には、例えば、受信部８０３が、ネットワーク２４０を介して、図５に示すような構図情報として、構図画像Ｃを含む構図情報を情報提供装置１０２から受信する。
【００７２】
構図画像Ｃは、例えば、構図ＤＢ１３０に記憶されている構図画像群のうち、対象作物の作物名と生育ステージとの組み合わせに対応する構図画像である。なお、構図情報には、撮影対象となる対象圃場の圃場ＩＤや圃場名が付加されていてもよい。
【００７３】
表示制御部８０４は、撮影対象となる対象作物を撮影する際の撮影画像の構図を表す構図画像Ｃをディスプレイ１１０に表示する機能を有する。具体的には、例えば、表示制御部８０４が、カメラ１２０のファインダ画面に被写体と構図画像Ｃとを重畳表示する。ファインダ画面は、例えば、ディスプレイ１１０に表示される。
【００７４】
これにより、ファインダ画面に表示された構図画像Ｃを基準にして、どのような構図で何を重視した撮影を行えばよいのかを作業者Ｗに認識させることができる。以下の説明では、ディスプレイ１１０に表示されるファインダ画面を「ファインダ画面ＦＳ」と表記する。
【００７５】
また、表示制御部８０４は、対象作物を特定する作物情報をディスプレイ１１０に表示する機能を有していてもよい。ここで、作物情報は、撮影者を支援するための情報である。作物情報は、例えば、対象圃場の圃場ＩＤ、圃場名、対象作物の作物名、生育ステージの少なくともいずれかを表す。
【００７６】
具体的には、例えば、表示制御部８０４が、ファインダ画面ＦＳに被写体とともに構図画像Ｃおよび作物情報を表示する。なお、対象作物の作物名、生育ステージは、例えば、構図画像Ｃを含む構図情報から特定される。対象圃場の圃場ＩＤ、圃場名は、例えば、構図画像Ｃを含む構図情報に付加されている。また、対象圃場の圃場ＩＤ、圃場名、対象作物の作物名、生育ステージは、作業者Ｗの操作入力により撮影装置１０１に直接入力されたものであってもよい。
【００７７】
これにより、対象作物の撮影時に、どの圃場で栽培されている何の作物を撮影すればよいのかを作業者Ｗに確認させることができ、対象作物とは異なる他の作物を撮影してしまうことを防ぐことができる。
【００７８】
また、表示制御部８０４は、対象作物を撮影する撮影目的を表す撮影目的情報をディスプレイ１１０に表示する機能を有していてもよい。ここで、撮影目的情報は、撮影者を支援するための情報である。具体的には、例えば、表示制御部８０４が、ファインダ画面ＦＳに被写体とともに構図画像Ｃ、作物情報および撮影目的情報を表示する。なお、対象作物を撮影する撮影目的は、例えば、構図画像Ｃを含む構図情報から特定される。また、対象作物を撮影する撮影目的は、作業者Ｗの操作入力により撮影装置１０１に直接入力されたものであってもよい。
【００７９】
これにより、対象作物の撮影時に、対象作物を何のために撮影するのかを作業者Ｗに確認させることができ、構図画像Ｃが表す構図の意味を作業者Ｗに理解させて適切な撮影画像を撮影するように支援することができる。なお、ファインダ画面ＦＳの画面例については、図９〜図１２を用いて後述する。
【００８０】
ところで、構図画像として記憶されているデータは構図画像に限らず、構図を示す情報である文字情報や音声情報であってもよい旨については上述したとおりである。構図ＤＢ１３０に記憶されている構図を示す情報が文字情報であって、撮影装置１０１がファインダ画面として動作するディスプレイ１１０以外の第二の表示部を有している場合、表示制御部８０４は、文字情報の出力先を該第二の表示部にしても構わない。当然ながら、構図を示す情報が音声情報である場合、表示制御部８０４はその情報を撮影装置１０１が有する音声出力部へ出力させる機能を有してもよい。
【００８１】
出力部８０５は、カメラ１２０によって撮影された撮影画像を出力する機能を有する。出力形式としては、例えば、ディスプレイ１１０への表示、Ｉ／Ｆ３０３による外部装置、例えば、情報提供装置１０２、クライアント装置２０１への送信がある。
【００８２】
具体的には、例えば、出力部８０５が、撮影画像と、撮影日時と、作業者ＩＤと、対象圃場情報と、対象作物情報とを関連付けて表す撮影情報を情報提供装置１０２に送信することにしてもよい。作業者ＩＤは、撮影装置１０１を使用する作業者Ｗ（撮影者）の識別子である。対象圃場情報は、例えば、対象圃場の圃場ＩＤや圃場名である。対象作物情報は、例えば、対象作物の作物名や生育ステージや撮影目的である。
【００８３】
また、出力部８０５が、撮影画像と、撮影日時と、作業者ＩＤと、対象圃場情報と、対象作物情報とを関連付けて表す撮影情報を撮影画像ＤＢ２１０に記録することにしてもよい。なお、対象圃場の圃場ＩＤや圃場名は、例えば、構図画像Ｃを含む構図情報に付加されている。
【００８４】
ここで、対象作物の作物名と生育ステージとの組み合わせに対応する構図画像は、複数存在する場合がある。例えば、作物名「水稲」と生育ステージ「活着期」との組み合わせに対応する構図画像は、構図画像Ｃ２と構図画像Ｃ３とがある（図５参照）。すなわち、受信部８０３は、対象作物を撮影する際の撮影画像の構図を表す複数の構図画像を情報提供装置１０２から受信する場合がある。
【００８５】
以下の説明では、対象作物の作物名と生育ステージとの組み合わせに対応する複数の構図画像を「構図画像Ｃ［１］〜Ｃ［Ｋ］」と表記する（Ｋ：１以上の自然数）。また、構図画像Ｃ［１］〜Ｃ［Ｋ］のうち任意の構図画像を「構図画像Ｃ［ｋ］」と表記する（ｋ＝１，２，…，Ｋ）。
【００８６】
この場合、表示制御部８０４は、構図画像Ｃ［１］〜Ｃ［Ｋ］の中からいずれかの構図画像Ｃ［ｋ］を選択することにしてもよい。そして、表示制御部８０４は、選択した構図画像Ｃ［ｋ］と被写体とをファインダ画面ＦＳに重畳表示することにしてもよい。
【００８７】
具体的には、例えば、表示制御部８０４が、図３に示した操作ボタン３０４を用いた作業者Ｗの操作入力に従って、構図画像Ｃ［１］〜Ｃ［Ｋ］の中から構図画像Ｃ［ｋ］を選択することにしてもよい。なお、構図画像Ｃ［ｋ］を選択する作業者Ｗの操作例については、図１２を用いて後述する。
【００８８】
また、ファインダ画面ＦＳに構図画像Ｃ［ｋ］が表示された結果、カメラ１２０によって撮影画像が撮影されると、その都度、表示制御部８０４が、構図画像Ｃ［１］〜Ｃ［Ｋ］の中から未選択の構図画像を選択することにしてもよい。これにより、カメラ１２０によって撮影画像が撮影される度に、ファインダ画面ＦＳに表示する構図画像Ｃ［ｋ］を順次変化させて、各々の構図画像Ｃ［ｋ］が表す構図の撮影画像を連続して撮影させることができる。
【００８９】
（ファインダ画面ＦＳの画面例）
つぎに、ファインダ画面ＦＳの画面例について説明する。以下に説明するファインダ画面ＦＳは、例えば、カメラ１２０が起動されると、ディスプレイ１１０に表示される。作業者Ｗは、撮影画像がファインダ画面ＦＳに表示される構図画像Ｃが表す構図となるように対象作物を撮影する。
【００９０】
＜画面例１＞
図９は、ファインダ画面ＦＳの画面例を示す説明図（その１）である。図９において、ファインダ画面ＦＳに作物情報９１０と撮影目的情報９２０と構図画像Ｃ１とが表示されている。ここで、作物情報９１０は、対象圃場の圃場名「圃場Ｘ」、対象作物の作物名「水稲」および生育ステージ「田植期」を表している。また、撮影目的情報９２０は、対象作物を撮影する撮影目的「条間確認」を表している。
【００９１】
また、構図画像Ｃ１は、対象作物の作物名「水稲」と生育ステージ「田植期」との組み合わせに対応する構図画像である。すなわち、構図画像Ｃ１は、田植期における水稲を撮影する際に、撮影者に対して推奨すべき撮影画像の構図を表している。具体的には、構図画像Ｃ１は、３本の平行な線分９３１〜９３３を表している。各線分９３１〜９３３は、苗が植えられた条（列）を表している。また、線分間の間隔は、条間を表している。
【００９２】
ファインダ画面ＦＳの作物情報９１０によれば、圃場Ｘで栽培されている田植期の水稲を撮影することを作業者Ｗに確認させることができ、対象作物とは異なる他の作物を撮影してしまうことを防ぐことができる。
【００９３】
また、ファインダ画面ＦＳの撮影目的情報９２０によれば、条間確認のために対象作物を撮影することを作業者Ｗに確認させることができ、構図画像Ｃ１が表す構図の意味を作業者Ｗに理解させて適切な撮影画像を撮影するように支援することができる。
【００９４】
また、ファインダ画面ＦＳの構図画像Ｃ１によれば、どのような構図で何を重視した撮影を行えばよいのかを作業者Ｗに判断させることができる。例えば、作業者Ｗは、苗がきちんと植えられて、条（列）に乱れがないかを確認できるように、実際に植えられている苗の条と各線分９３１〜９３３とが平行になるような構図で撮影すればよいことを判断することができる。
【００９５】
図９の例では、圃場Ｘに植えられている水稲の苗の条９４１〜９４３が写った撮影画像９４０が撮影されている。作業者Ｗは、ファインダ画面ＦＳ上において、被写体とすべき苗の条が各線分９３１〜９３３と重なるようにカメラ１２０の位置や向きを調整して撮影することで、このような撮影画像９４０を容易に撮影することができる。撮影画像９４０によれば、圃場Ｘに苗がきちんと植えられており、条９４１〜９４３に乱れがないことを確認することができる。
【００９６】
＜画面例２＞
図１０は、ファインダ画面ＦＳの画面例を示す説明図（その２）である。図１０において、ファインダ画面ＦＳに作物情報１０１０と撮影目的情報１０２０と構図画像Ｃ１３とが表示されている。ここで、作物情報１０１０は、対象圃場の圃場名「圃場Ｙ」、対象作物の作物名「キャベツ」および生育ステージ「定植期」を表している。また、撮影目的情報１０２０は、対象作物を撮影する撮影目的「病害虫確認」を表している。
【００９７】
また、構図画像Ｃ１３は、対象作物の作物名「キャベツ」と生育ステージ「定植期」との組み合わせに対応する構図画像である。また、作物名「キャベツ」と生育ステージ「定植期」に対応する構図画像としては、図５に示すように、撮影目的が「成長度確認」であるか「病害虫確認」であるかに応じて、異なる構図画像が存在する。ここでは撮影目的「病害虫確認」に対応して登録されている構図画像Ｃ１３を例示している。すなわち、構図画像Ｃ１３は、定植期におけるキャベツを病害虫確認の目的で撮影する際に、撮影者に対して推奨すべき撮影画像の構図を表している。具体的には、構図画像Ｃ１３は、キャベツの葉の形状を模した図形を表している。
【００９８】
ファインダ画面ＦＳの作物情報１０１０によれば、圃場Ｙで栽培されている定植期のキャベツを撮影することを作業者Ｗに確認させることができ、対象作物とは異なる他の作物を撮影してしまうことを防ぐことができる。
【００９９】
また、ファインダ画面ＦＳの撮影目的情報１０２０によれば、病害虫確認のために対象作物を撮影することを作業者Ｗに確認させることができ、構図画像Ｃ１３が表す構図の意味を作業者Ｗに理解させて適切な撮影画像を撮影するように支援することができる。
【０１００】
また、ファインダ画面ＦＳの構図画像Ｃ１３によれば、どのような構図で何を重視した撮影を行えばよいのかを作業者Ｗに判断させることができる。例えば、作業者Ｗは、キャベツの葉にアオムシなどの害虫が付いていないかを確認できるように、キャベツの葉全体が写るような構図で撮影すればよいことを判断することができる。
【０１０１】
図１０の例では、圃場Ｙに植えられているキャベツの葉１０３０が写った撮影画像１０４０が撮影されている。撮影画像１０４０によれば、圃場Ｙに植えられているキャベツの葉１０３０にアオムシ１０５０が付いていることを確認することができる。
【０１０２】
なお、キャベツの病害虫確認用の構図画像Ｃ１３として、例えば、ファインダ画面ＦＳを垂直方向に区切って２分割する線分を表示することで、左側に健康なキャベツを、右側に病気のキャベツを撮影させるような構図画像を用いることにしてもよい。これにより、同一圃場で栽培されている健康なキャベツと病気のキャベツとを比較し易い撮影画像を撮影することができる。
【０１０３】
＜画面例３＞
図１１は、ファインダ画面ＦＳの画面例を示す説明図（その３）である。図１１において、ファインダ画面ＦＳに作物情報１１１０と撮影目的情報１１２０と構図画像Ｃ３０とが表示されている。ここで、作物情報１１１０は、対象圃場の圃場名「圃場Ｚ」、対象作物の作物名「ミカン」および生育ステージ「収穫期」を表している。また、撮影目的情報１１２０は、対象作物を撮影する撮影目的「剪定確認」を表している。
【０１０４】
また、構図画像Ｃ３０は、対象作物の作物名「ミカン」と生育ステージ「収穫期」との組み合わせに対応する構図画像である。すなわち、構図画像Ｃ３０は、収穫期におけるミカンを撮影する際に、撮影者に対して推奨すべき撮影画像の構図を表している。具体的には、構図画像Ｃ３０は、剪定された枝の断面の形状を模した図形を表している。
【０１０５】
ファインダ画面ＦＳの作物情報１１１０によれば、圃場Ｚで栽培されている収穫期のミカンを撮影することを作業者Ｗに確認させることができ、対象作物とは異なる他の作物を撮影してしまうことを防ぐことができる。
【０１０６】
また、ファインダ画面ＦＳの撮影目的情報１１２０によれば、剪定確認のために対象作物を撮影することを作業者Ｗに確認させることができ、構図画像Ｃ３０が表す構図の意味を作業者Ｗに理解させて適切な撮影画像を撮影するように支援することができる。
【０１０７】
また、ファインダ画面ＦＳの構図画像Ｃ３０によれば、どのような構図で何を重視した撮影を行えばよいのかを作業者Ｗに判断させることができる。例えば、作業者Ｗは、剪定後のミカンの枝の断面を確認できるように、剪定後のミカンの枝の断面が中央に写るような構図で撮影すればよいことを判断することができる。
【０１０８】
図１１の例では、圃場Ｚに植えられているミカンの枝の断面１１３０が写った撮影画像１１４０が撮影されている。撮影画像１１４０によれば、圃場Ｚに植えられているミカンの枝の剪定後の状態を確認することができる。
【０１０９】
＜画面例４＞
つぎに、対象作物の作物名と生育ステージとの組み合わせに対応する構図画像が複数存在する場合のファインダ画面ＦＳの画面例について説明する。
【０１１０】
図１２は、ファインダ画面ＦＳの画面例を示す説明図（その４）である。図１２に示す（１２−１）において、ファインダ画面ＦＳに作物情報１２１０と撮影目的情報１２２０と構図画像Ｃ２とが表示されている。ここで、作物情報１２１０は、対象圃場の圃場名「圃場Ｇ」、対象作物の作物名「水稲」および生育ステージ「活着期」を表している。また、撮影目的情報１２２０は、対象作物を撮影する撮影目的「苗確認」を表している。
【０１１１】
また、構図画像Ｃ２は、対象作物の作物名「水稲」と生育ステージ「活着期」と撮影目的「苗確認」の組み合わせに対応する構図画像である。すなわち、構図画像Ｃ２は、活着期における水稲を苗確認の目的で撮影する際に、撮影者に対して推奨すべき撮影画像の構図を表している。具体的には、構図画像Ｃ２は、横長矩形の図形１２３０と縦長矩形の図形１２４０との組み合わせである。図形１２３０は、苗の根本を収めるための枠である。図形１２４０は、苗全体を収めるための枠である。
【０１１２】
ファインダ画面ＦＳの作物情報１２１０によれば、圃場Ｇで栽培されている活着期の水稲を撮影することを作業者Ｗに確認させることができ、対象作物とは異なる他の作物を撮影してしまうことを防ぐことができる。
【０１１３】
また、ファインダ画面ＦＳの撮影目的情報１２２０によれば、苗確認のために対象作物を撮影することを作業者Ｗに確認させることができ、構図画像Ｃ２が表す構図の意味を作業者Ｗに理解させて適切な撮影画像を撮影するように支援することができる。
【０１１４】
また、ファインダ画面ＦＳの構図画像Ｃ２によれば、どのような構図で何を重視した撮影を行えばよいのかを作業者Ｗに判断させることができる。例えば、作業者Ｗは、苗がしっかり活着しているか確認できるように、かつ、苗の葉の色が確認できるように、苗の根本と苗全体が写るような構図で撮影すればよいことを判断することができる。
【０１１５】
ここで、図５に示すように、対象作物の作物名「水稲」と生育ステージ「活着期」との組み合わせに対応する構図画像として、構図画像Ｃ２のほかに構図画像Ｃ３が存在する。ここで、図１２に示す構図画像Ｃ２が表示された（１２−１）のファインダ画面ＦＳにおいて、操作ボタン３０４のシャッターボタンであるボタンＢ２が押下されると、カメラ１２０によって撮影画像１２６０が撮影される。
【０１１６】
図１２に示す（１２−２）の例では、圃場Ｇに植えられている苗１２５０の根本１２５１を含む全体が写った撮影画像１２６０が撮影されている。撮影画像１２６０によれば、圃場Ｇに植えられている苗１２５０がしっかり活着しているか確認することができるとともに、苗１２５０の葉全体の色を確認することができる。
【０１１７】
カメラ１２０によって撮影画像１２６０が撮影されると、ファインダ画面ＦＳの表示内容が、図１２に示す構図画像Ｃ３が表示された（１２−３）のファインダ画面ＦＳに切り替わる。もしくは、図１２に示す（１２−１）のファインダ画面ＦＳにおいて、次の構図画像への表示切替を指示するボタンＢ３が押下されると、図１２に示す（１２−３）のファインダ画面ＦＳが表示される。
【０１１８】
図１２に示す（１２−３）において、ファインダ画面ＦＳに作物情報１２１０と撮影目的情報１２７０と構図画像Ｃ３とが表示されている。ここで、作物情報１２１０は、対象圃場の圃場名「圃場Ｇ」、対象作物の作物名「水稲」および生育ステージ「活着期」を表している。また、撮影目的情報１２７０は、対象作物を撮影する撮影目的「田圃状態確認」を表している。
【０１１９】
また、構図画像Ｃ３は、対象作物の作物名「水稲」と生育ステージ「活着期」と撮影目的「田圃状態確認」の組み合わせに対応する構図画像である。すなわち、構図画像Ｃ３は、活着期における水稲を撮影する際に、撮影者に対して推奨すべき撮影画像の構図を表している。具体的には、構図画像Ｃ３は、田んぼに発生する赤虫を収めるための枠を表している。
【０１２０】
ファインダ画面ＦＳの作物情報１２１０によれば、圃場Ｇで栽培されている活着期の水稲を撮影することを作業者Ｗに確認させることができ、対象作物とは異なる他の作物を撮影してしまうことを防ぐことができる。
【０１２１】
また、ファインダ画面ＦＳの撮影目的情報１２７０によれば、田圃状態確認のために対象作物を撮影することを作業者Ｗに確認させることができ、構図画像Ｃ３が表す構図の意味を作業者Ｗに理解させて適切な撮影画像を撮影するように支援することができる。
【０１２２】
また、ファインダ画面ＦＳの構図画像Ｃ３によれば、どのような構図で何を重視した撮影を行えばよいのかを作業者Ｗに判断させることができる。例えば、作業者Ｗは、田んぼに赤虫が発生していれば、赤虫が確認できるように、画面中央に赤虫が写るような構図で撮影すればよいことを判断することができる。
【０１２３】
また、図１２に示す（１２−３）のファインダ画面ＦＳにおいて、シャッターボタンであるボタンＢ２が押下されると、カメラ１２０によって撮影画像１２９０が撮影される。
【０１２４】
図１２に示す（１２−４）の例では、圃場Ｇに発生している赤虫１２８０が写った撮影画像１２９０が撮影されている。撮影画像１２９０によれば、圃場Ｇに赤虫１２８０が発生しており、圃場Ｇが健康な状態であることを確認することができる。
【０１２５】
なお、図１２に示す（１２−３）のファインダ画面ＦＳにおいて、一つ前に表示していた構図画像への表示切替を指示するボタンＢ１が押下されると、図１２に示す（１２−１）のファインダ画面ＦＳが表示される。
【０１２６】
（情報提供装置１０２の機能的構成例）
つぎに、実施の形態１にかかる情報提供装置１０２の機能的構成例について説明する。図１３は、実施の形態１にかかる情報提供装置１０２の機能的構成を示すブロック図である。図１３において、情報提供装置１０２は、受信部１３０１と、特定部１３０２と、抽出部１３０３と、送信部１３０４と、を含む構成である。受信部１３０１〜送信部１３０４）は、制御部となる機能であり、具体的には、例えば、図４に示したＲＯＭ４０２、ＲＡＭ４０３、磁気ディスク４０５、光ディスク４０７などの記憶装置に記憶されたプログラムをＣＰＵ４０１に実行させることにより、または、Ｉ／Ｆ４０９により、その機能を実現する。また、各機能部の処理結果は、例えば、ＲＡＭ４０３、磁気ディスク４０５、光ディスク４０７などの記憶装置に記憶される。
【０１２７】
受信部１３０１は、撮影装置１０１の装置情報を撮影装置１０１から受信する機能を有する。撮影装置１０１の装置情報は、上述したように、例えば、装置ＩＤ、作業者ＩＤ、圃場名、圃場ＩＤ、作物名、生育ステージおよび撮影装置１０１の位置情報のうちの少なくともいずれかを含むものである。
【０１２８】
特定部１３０２は、受信された撮影装置１０１の装置情報に基づいて、圃場Ｆ１〜Ｆｎの中から撮影装置１０１の撮影対象となる圃場Ｆｉを特定する機能を有する。ここで、撮影装置１０１の装置情報に圃場ＩＤが含まれている場合を想定する。この場合、特定部１３０２が、例えば、圃場Ｆ１〜Ｆｎの中から、撮影装置１０１の装置情報に含まれている圃場ＩＤに対応する圃場Ｆｉを特定する。
【０１２９】
また、撮影装置１０１の装置情報に撮影装置１０１の位置情報が含まれている場合を想定する。この場合、特定部１３０２が、例えば、撮影装置１０１の位置情報と、図６に例示する圃場ＤＢ２２０内の圃場情報６００−１〜６００−ｎの圃場位置Ｌ１〜Ｌｎとに基づいて、圃場Ｆ１〜Ｆｎの中から圃場Ｆｉを特定する。
【０１３０】
より具体的には、例えば、圃場情報６００−１〜６００−ｎの圃場位置が、圃場Ｆ１〜Ｆｎの重心位置である場合を想定する。この場合、特定部１３０２が、例えば、圃場Ｆ１〜Ｆｎの中から撮影装置１０１の最近傍に位置する圃場Ｆｉを特定することにしてもよい。また、各圃場情報６００−１〜６００−ｎの圃場位置が、各圃場Ｆ１〜Ｆｎのエリアを特定する情報である場合を想定する。この場合、特定部１３０２が、例えば、圃場Ｆ１〜Ｆｎの中から撮影装置１０１の位置情報を含む圃場Ｆｉを特定することにしてもよい。なお、撮影装置１０１の位置情報を含む圃場が特定されなかった場合は、特定部１３０２が、圃場Ｆ１〜Ｆｎの中から撮影装置１０１の最近傍に位置する圃場Ｆｉを特定することにしてもよい。
【０１３１】
抽出部１３０３は、構図ＤＢ１３０の中から、特定された圃場Ｆｉで栽培されている作物を撮影する際の撮影画像の構図を表す構図画像を抽出する機能を有する。具体的には、例えば、まず、抽出部１３０３が、圃場ＤＢ２２０の中から、特定された圃場Ｆｉの圃場情報６００−ｉを抽出する。
【０１３２】
つぎに、抽出部１３０３が、抽出した圃場情報６００−ｉを参照して、圃場Ｆｉで栽培されている作物名と生育ステージとの組み合わせを特定する。そして、抽出部１３０３が、構図ＤＢ１３０の中から、特定した作物名と生育ステージとの組み合わせに対応する構図情報を抽出する。
【０１３３】
例えば、作物名と生育ステージとの組み合わせを「水稲／田植期」とすると、抽出部１３０３が、構図ＤＢ１３０の中から構図情報５００−１を抽出する。また、作物名と生育ステージとの組み合わせを「水稲／活着期」とすると、抽出部１３０３が、構図ＤＢ１３０の中から構図情報５００−２，５００−３を抽出する。
【０１３４】
これにより、撮影装置１０１の撮影対象となる対象圃場で栽培されている作物を撮影する際の撮影画像の構図を表す構図画像Ｃを含む構図情報を抽出することができる。また、作物名と生育ステージとの組み合わせに対応する構図情報を抽出することにより、作物の生育ステージに応じた構図画像Ｃを特定することができる。
【０１３５】
また、撮影装置１０１の装置情報には、対象作物の作物名、生育ステージや対象作物を撮影する撮影目的などを表す情報が含まれている場合がある。この場合、特定部１３０２が、構図ＤＢ１３０の中から、撮影装置１０１の装置情報に含まれている作物名と生育ステージと撮影目的との組み合わせに対応する構図情報を抽出することにしてもよい。
【０１３６】
送信部１３０４は、抽出された構図情報を、装置情報の送信元の撮影装置１０１に送信する機能を有する。この際、送信部１３０４が、例えば、抽出された構図情報に、撮影対象となる圃場Ｆｉの圃場ＩＤや圃場名を付加して撮影装置１０１に送信することにしてもよい。
【０１３７】
これにより、撮影対象となる対象圃場で栽培されている作物を撮影する際の撮影画像の構図を表す構図画像Ｃを含む構図情報を撮影装置１０１に提供することができる。
【０１３８】
また、受信部１３０１は、撮影装置１０１によって撮影された撮影画像を含む撮影情報を撮影装置１０１から受信する機能を有する。ここで、撮影情報は、上述したように、例えば、撮影画像と、撮影日時と、作業者ＩＤと、圃場ＩＤと、圃場名とを関連付けて表す情報である。受信された撮影情報は、例えば、図７に示した撮影画像ＤＢ２３０に記録される。
【０１３９】
また、特定部１３０２は、撮影対象となる圃場Ｆｉで行われる農作業の作業予定を示す作業予定情報に基づいて、圃場Ｆｉで栽培されている作物を撮影する撮影目的を特定することにしてもよい。ここで、作業予定情報の具体例について説明する。
【０１４０】
図１４は、作業予定情報の具体例を示す説明図である。図１４において、作業予定情報１４００は、圃場ＩＤ、作業日、作業時間、作業内容および作業者のフィールドを有する。各フィールドの情報を設定することで、作業情報（例えば、作業情報１４００−１，１４００−２）がレコードとして記憶されている。
【０１４１】
圃場ＩＤは、圃場Ｆｉを一意に識別する識別子である。作業日は、圃場Ｆｉで農作業が行われる作業予定日（年月日）である。作業時間は、圃場Ｆｉで行われる農作業の開始予定時刻から終了予定時刻までの時間である。作業内容は、圃場Ｆｉで行われる農作業の内容である。作業内容としては、例えば、条間確認、活着確認、田圃状態確認、成長度確認、病害虫確認などがある。すなわち、作業内容は、圃場Ｆｉで栽培されている作物を撮影する撮影目的に対応している。作業者は、圃場Ｆｉで行われる農作業の作業者を一意に識別する識別子、すなわち作業者ＩＤである。
【０１４２】
ここで、撮影対象となる圃場Ｆｉを「圃場Ｆ７」とし、撮影装置１０１を使用する作業者Ｗを「作業者Ｂ」とする。作業者Ｗは、例えば、撮影装置１０１の装置情報に含まれている作業者ＩＤから特定される。この場合、特定部１３０２が、作業予定情報１４００の中から、作業者Ｂに対応する作業情報１４００−２を抽出する。そして、特定部１３０２が、作業情報１４００−２から特定される作業内容「病害虫確認」を、圃場Ｆ７で栽培されている作物を撮影する撮影目的として特定する。
【０１４３】
なお、上述した説明では、作業予定情報１４００の中から作業者ＩＤに対応する作業情報を抽出することにしたが、例えば、特定部１３０２が、撮影装置１０１の装置情報の受信時刻を含む作業時間に対応する作業情報を抽出することにしてもよい。
【０１４４】
図１３の説明に戻り、抽出部１３０３は、特定された撮影目的に基づいて、構図ＤＢ１３０の中から、圃場Ｆｉで栽培されている作物を撮影する際の撮影画像の構図を表す構図画像を抽出することにしてもよい。具体的には、例えば、まず、抽出部１３０３が、圃場ＤＢ２２０の中から、特定された圃場Ｆｉの圃場情報６００−ｉを抽出する。
【０１４５】
つぎに、抽出部１３０３が、抽出した圃場情報６００−ｉを参照して、圃場Ｆｉで栽培されている作物名と生育ステージとの組み合わせを特定する。そして、抽出部１３０３が、構図ＤＢ１３０の中から、特定した作物名と生育ステージと、特定部１３０２によって特定された撮影目的との組み合わせに対応する構図情報を抽出する。
【０１４６】
例えば、作物名と生育ステージと撮影目的との組み合わせを「キャベツ／定植期／成長度確認」とすると、抽出部１３０３が、構図ＤＢ１３０の中から構図情報５００−１２を抽出する。また、作物名と生育ステージと撮影目的との組み合わせを「キャベツ／定植期／病害虫確認」とすると、抽出部１３０３が、構図ＤＢ１３０の中から構図情報５００−１３を抽出する。
【０１４７】
これにより、作物名と生育ステージと撮影目的との組み合わせに対応する構図情報を抽出することにより、作物の生育ステージおよび撮影目的に応じた構図画像Ｃを特定することができる。
【０１４８】
なお、上記特定部１３０２は、例えば、作業予定情報１４００のような、各圃場Ｆ１〜Ｆｎで行われる農作業の作業予定を示す作業予定情報に基づいて、圃場Ｆ１〜Ｆｎの中から撮影装置１０１の撮影対象となる圃場Ｆｉを特定することにしてもよい。具体的には、例えば、特定部１３０２が、各圃場Ｆ１〜Ｆｎで行われる農作業の作業予定を示す作業予定情報の中から、撮影装置１０１の装置情報に含まれる作業者ＩＤが作業者フィールドに設定されている作業予定情報を特定する。
【０１４９】
つぎに、特定部１３０２が、特定した作業予定情報の中から、撮影装置１０１の装置情報の受信時刻が、作業時間フィールドに設定されている作業時間に含まれる作業情報を特定する。そして、特定部１３０２が、特定した作業情報の圃場ＩＤフィールドに設定されている圃場ＩＤに対応する圃場を、撮影装置１０１の撮影対象となる圃場Ｆｉとして特定する。
【０１５０】
（見回り結果一覧画面１５００）
つぎに、クライアント装置２０１のディスプレイ４０８に表示される見回り結果一覧画面１５００の画面例について説明する。見回り結果一覧画面１５００は、例えば、クライアント装置２０１からの閲覧要求に対して、情報提供装置１０２からクライアント装置２０１に提供、すなわち出力される情報である。
【０１５１】
閲覧要求には、例えば、撮影日時、圃場ＩＤ、圃場名、作業者ＩＤ、作物名、生育ステージ、撮影目的などの閲覧対象となる撮影画像を特定する情報が１または複数含まれている。情報提供装置１０２は、例えば、撮影画像ＤＢ２３０の中から閲覧対象となる撮影画像を抽出して見回り結果一覧画面１５００を作成し、クライアント装置２０１へ向けて出力する。
【０１５２】
図１５は、見回り結果一覧画面１５００の画面例を示す説明図である。図１５において、見回り結果一覧画面１５００には、表示データＨ１〜Ｈ３が表示されている。
【０１５３】
表示データＨ１は、撮影画像１５１０の表示データである。表示データＨ１には、撮影画像１５１０の撮影日時「２０１１／７／７  １４：０１」、対象圃場の圃場名「圃場Ｇ」、対象作物の作物名「水稲」、生育ステージ「活着期」が示されている。また、表示データＨ１には、撮影画像１５１０の撮影目的「苗確認」および撮影者「作業者Ａ」が示されている。
【０１５４】
表示データＨ１によれば、例えば、農場の経営者である確認者は、圃場Ｇで栽培されている苗１５１１がしっかり活着していることを確認することができ、また、苗１５１１の全体の葉の色を確認することができる。
【０１５５】
また、表示データＨ２は、撮影画像１５２０の表示データである。表示データＨ２には、撮影画像１５２０の撮影日時「２０１１／７／７  １４：２８」、対象圃場の圃場名「圃場Ｈ」、対象作物の作物名「水稲」、生育ステージ「活着期」が示されている。また、表示データＨ２には、撮影画像１５２０の撮影目的「苗確認」および撮影者「作業者Ｂ」が示されている。
【０１５６】
表示データＨ２によれば、例えば、農場の経営者である確認者は、圃場Ｈで栽培されている苗１５２１がしっかりとは活着していないことを確認することができ、また、苗１５２１の全体の葉の色を確認することができる。
【０１５７】
また、表示データＨ３は、撮影画像１５３０の表示データである。表示データＨ３には、撮影画像１５３０の撮影日時「２０１１／７／８  １３：１５」、対象圃場の圃場名「圃場Ｊ」、対象作物の作物名「水稲」、生育ステージ「活着期」が示されている。また、表示データＨ３には、撮影画像１５３０の撮影目的「苗確認」および撮影者「作業者Ｃ」が示されている。
【０１５８】
表示データＨ３によれば、例えば、農場の経営者である確認者は、圃場Ｊで栽培されている苗１５３１がしっかり活着していることを確認することができ、また、苗１５３１の全体の葉の色を確認することができる。
【０１５９】
同一作物名、同一生育ステージの対象作物の撮影画像１５１０，１５２０，１５３０は、それぞれが同じ構図で撮影されている。このため、そのような画像が一覧表示される見回り結果一覧画面１５００によれば、確認すべき撮影画像上の箇所を確認者が判断したり比較したりし易くなり、苗の活着度合いや葉の色を確認する際の作業効率を向上させることができる。また、同じ構図で撮影された撮影画像は、同一作物名、同一生育ステージの対象作物の撮影画像を画像処理して何らかの解析を行う際にも利用価値が高い情報となる。なお、見回り結果一覧画面１５００は、情報提供装置１０２のディスプレイ４０８に表示することにしてもよい。
【０１６０】
（撮影装置１０１の撮影支援処理手順）
つぎに、実施の形態１にかかる撮影装置１０１の撮影支援処理手順について説明する。図１６は、実施の形態１にかかる撮影装置１０１の撮影支援処理手順の一例を示すフローチャート（その１）である。図１６のフローチャートにおいて、まず、撮影装置１０１により、カメラ１２０が起動されたか否かを判断する（ステップＳ１６０１）。
【０１６１】
ここで、撮影装置１０１により、カメラ１２０が起動されるのを待って（ステップＳ１６０１：Ｎｏ）、カメラ１２０が起動された場合（ステップＳ１６０１：Ｙｅｓ）、取得部８０１により、自装置の装置情報を取得する（ステップＳ１６０２）。つぎに、送信部８０２により、取得された自装置の装置情報を情報提供装置１０２に送信する（ステップＳ１６０３）。
【０１６２】
そして、受信部８０３により、撮影対象となる対象作物を撮影する際の撮影画像の構図を表す構図画像Ｃを含む構図情報を情報提供装置１０２から受信したか否かを判断する（ステップＳ１６０４）。ここで、受信部８０３により、構図情報を受信するのを待つ（ステップＳ１６０４：Ｎｏ）。
【０１６３】
構図情報が受信された場合（ステップＳ１６０４：Ｙｅｓ）、表示制御部８０４により、カメラ１２０のファインダ画面ＦＳに被写体とともに構図画像Ｃ、作物情報および撮影目的情報を表示する（ステップＳ１６０５）。そして、撮影装置１０１により、カメラ１２０によって撮影画像が撮影されたか否かを判断する（ステップＳ１６０６）。
【０１６４】
ここで、撮影装置１０１により、撮影画像が撮影されるのを待つ（ステップＳ１６０６：Ｎｏ）。そして、撮影画像が撮影された場合（ステップＳ１６０６：Ｙｅｓ）、出力部８０５により、撮影された撮影画像を撮影画像ＤＢ２１０に記録して（ステップＳ１６０７）、本フローチャートによる一連の処理を終了する。
【０１６５】
これにより、対象作物の撮影時に、対象作物の作物名と生育ステージとの組み合わせに対応する構図画像Ｃが表す構図の撮影画像が撮影されるように撮影者を支援することができる。
【０１６６】
つぎに、対象作物の作物名と生育ステージとの組み合わせに対応する構図画像が複数存在する場合を想定した撮影装置１０１の撮影支援処理手順について説明する。
【０１６７】
図１７は、実施の形態１にかかる撮影装置１０１の撮影支援処理手順の一例を示すフローチャート（その２）である。図１７のフローチャートにおいて、まず、撮影装置１０１により、カメラ１２０が起動されたか否かを判断する（ステップＳ１７０１）。
【０１６８】
ここで、撮影装置１０１により、カメラ１２０が起動されるのを待って（ステップＳ１７０１：Ｎｏ）、カメラ１２０が起動された場合（ステップＳ１７０１：Ｙｅｓ）、取得部８０１により、自装置の装置情報を取得する（ステップＳ１７０２）。つぎに、送信部８０２により、取得された自装置の装置情報を情報提供装置１０２に送信する（ステップＳ１７０３）。
【０１６９】
そして、受信部８０３により、撮影対象となる対象作物を撮影する際の撮影画像の構図を表す構図画像Ｃを含む構図情報を情報提供装置１０２から受信したか否かを判断する（ステップＳ１７０４）。ここで、受信部８０３により、構図情報を受信するのを待つ（ステップＳ１７０４：Ｎｏ）。
【０１７０】
構図情報が受信された場合（ステップＳ１７０４：Ｙｅｓ）、表示制御部８０４により、構図画像Ｃ［ｋ］の「ｋ」を「ｋ＝１」とし（ステップＳ１７０５）、構図画像Ｃ［１］〜Ｃ［Ｋ］の中から構図画像Ｃ［ｋ］を選択する（ステップＳ１７０６）。
【０１７１】
つぎに、表示制御部８０４により、カメラ１２０のファインダ画面ＦＳに被写体とともに構図画像Ｃ［ｋ］、作物情報および構図画像Ｃ［ｋ］に対応する撮影目的情報を表示する（ステップＳ１７０７）。そして、撮影装置１０１により、カメラ１２０によって撮影画像が撮影されたか否かを判断する（ステップＳ１７０８）。
【０１７２】
ここで、撮影装置１０１により、撮影画像が撮影されるのを待つ（ステップＳ１７０８：Ｎｏ）。そして、撮影画像が撮影された場合（ステップＳ１７０８：Ｙｅｓ）、出力部８０５により、撮影された撮影画像を撮影画像ＤＢ２１０に記録する（ステップＳ１７０９）。
【０１７３】
つぎに、表示制御部８０４により、構図画像Ｃ［ｋ］の「ｋ」をインクリメントして（ステップＳ１７１０）、「ｋ」が「Ｋ」より大きくなったか否かを判断する（ステップＳ１７１１）。ここで、「ｋ」が「Ｋ」以下の場合（ステップＳ１７１１：Ｎｏ）、ステップＳ１７０６に戻る。一方、「ｋ」が「Ｋ」より大きくなった場合（ステップＳ１７１１：Ｙｅｓ）、本フローチャートによる一連の処理を終了する。
【０１７４】
これにより、カメラ１２０によって撮影画像が撮影される度に、ファインダ画面ＦＳに表示する構図画像Ｃ［ｋ］を順次変化させて、対象作物の作物名と生育ステージとの組み合わせに対応する各々の構図画像Ｃ［ｋ］が表す構図の撮影画像を連続して撮影させることができる。
【０１７５】
（情報提供装置１０２の情報提供処理手順）
つぎに、実施の形態１にかかる情報提供装置１０２の情報提供処理手順について説明する。図１８は、実施の形態１にかかる情報提供装置１０２の情報提供処理手順の一例を示すフローチャートである。図１８のフローチャートにおいて、まず、受信部１３０１により、撮影装置１０１の装置情報を撮影装置１０１から受信したか否かを判断する（ステップＳ１８０１）。
【０１７６】
ここで、受信部１３０１により、撮影装置１０１の装置情報を受信するのを待つ（ステップＳ１８０１：Ｎｏ）。撮影装置１０１の装置情報が受信された場合（ステップＳ１８０１：Ｙｅｓ）、抽出部１３０３により、構図ＤＢ１３０の中から構図情報を抽出する構図情報抽出処理を実行する（ステップＳ１８０２）。
【０１７７】
そして、抽出された構図情報を、送信部１３０４により撮影装置１０１に送信して（ステップＳ１８０３）、本フローチャートによる一連の処理を終了する。これにより、撮影対象となる圃場Ｆｉで栽培されている作物の作物名と生育ステージとの組み合わせに対応する構図画像Ｃを含む構図情報を撮影装置１０１に提供することができる。
【０１７８】
つぎに、図１８に示したステップＳ１８０２の構図情報抽出処理の具体的な処理手順について説明する。
【０１７９】
図１９は、構図情報抽出処理の具体的処理手順の一例を示すフローチャートである。図１９のフローチャートにおいて、まず、特定部１３０２により、撮影装置１０１の装置情報に基づいて、圃場Ｆ１〜Ｆｎの中から撮影装置１０１の撮影対象となる圃場Ｆｉを特定する（ステップＳ１９０１）。
【０１８０】
つぎに、抽出部１３０３により、圃場ＤＢ２２０の中から、特定された圃場Ｆｉの圃場情報６００−ｉを抽出する（ステップＳ１９０２）。そして、抽出部１３０３により、抽出した圃場情報６００−ｉから、圃場Ｆｉで栽培されている作物の作物名と生育ステージとの組み合わせを特定する（ステップＳ１９０３）。
【０１８１】
つぎに、抽出部１３０３により、構図ＤＢ１３０の中から、特定した作物名と生育ステージとの組み合わせに対応する構図画像Ｃを含む構図情報を抽出して（ステップＳ１９０４）、図１８に示したステップＳ１８０３に移行する。これにより、撮影対象となる圃場Ｆｉで栽培されている作物の作物名と生育ステージとの組み合わせに対応する構図画像Ｃを含む構図情報を抽出することができる。
【０１８２】
以上説明したように、実施の形態１にかかる撮影装置１０１によれば、対象作物の撮影時に、カメラ１２０のファインダ画面ＦＳに、対象作物の作物名と生育ステージとの組み合わせに対応する構図画像Ｃを、被写体に関する画像と重畳して表示することができる。これにより、作物名と生育ステージとの組み合わせごとに着目すべき箇所が異なる作物の撮影時において、どのような構図で何を重視した撮影を行えばよいのかの作業者Ｗの判断を容易にして、作物の生育状況を把握し易い撮影画像を収集することができる。
【０１８３】
また、実施の形態１にかかる撮影装置１０１によれば、カメラ１２０のファインダ画面ＦＳに、対象作物を特定する作物情報（例えば、対象圃場の圃場ＩＤ、圃場名や対象作物の作物名、生育ステージ）を表示することができる。これにより、対象作物の撮影時に、どの圃場で栽培されている何の作物を撮影すればよいのかを作業者Ｗに確認させることができ、対象作物とは異なる他の作物を撮影してしまうことを防ぐことができる。
【０１８４】
また、実施の形態１にかかる撮影装置１０１によれば、カメラ１２０のファインダ画面ＦＳに、対象作物を撮影する撮影目的を表す撮影目的情報を表示することができる。これにより、対象作物の撮影時に、対象作物を何のために撮影するのかを作業者Ｗに確認させることができ、構図画像Ｃが表す構図の意味を作業者Ｗに理解させて適切な撮影画像を撮影するように支援することができる。
【０１８５】
また、実施の形態１にかかる情報提供装置１０２によれば、例えば、装置ＩＤ、作業者ＩＤ、位置情報、圃場ＩＤ、作物名、生育ステージ、撮影目的などの撮影装置１０１の装置情報のうちの１または複数に基づいて、圃場Ｆ１〜Ｆｎの中から撮影対象となる圃場Ｆｉを特定することができる。
【０１８６】
また、実施の形態１にかかる情報提供装置１０２によれば、撮影対象となる圃場Ｆｉで栽培されている作物の作物名と生育ステージとの組み合わせに対応する構図情報を構図ＤＢ１３０の中から抽出して撮影装置１０１に提供することができる。これにより、撮影装置１０１において、対象作物の作物名と生育ステージとの組み合わせに対応する構図画像Ｃを特定することができる。
【０１８７】
また、実施の形態１にかかる情報提供装置１０２によれば、撮影対象となる圃場Ｆｉで栽培されている作物の作物名と生育ステージと撮影目的との組み合わせに対応する構図情報を構図ＤＢ１３０の中から抽出して撮影装置１０１に提供することができる。これにより、撮影装置１０１において、対象作物の作物名と生育ステージと撮影目的との組み合わせに対応する構図画像Ｃを特定することができる。
【０１８８】
（実施の形態２）
つぎに、実施の形態２にかかる撮影装置１０１について説明する。実施の形態１では、撮影装置１０１と情報提供装置１０２とが連動する場合について説明したが、実施の形態２では、撮影装置１０１が単独で動作する場合について説明する。なお、実施の形態１で説明した箇所と同一箇所については、同一符号を付して説明を省略する。
【０１８９】
（撮影装置１０１の機能的構成例）
図２０は、実施の形態２にかかる撮影装置１０１の機能的構成を示すブロック図である。図２０において、撮影装置１０１は、取得部８０１と、表示制御部８０４と、出力部８０５と、特定部２００１と、抽出部２００２と、を含む構成である。取得部８０１、表示制御部８０４、出力部８０５、特定部２００１、抽出部２００２は制御部となる機能であり、具体的には、例えば、図３に示したメモリ３０２に記憶されたプログラムをＣＰＵ３０１に実行させることにより、または、Ｉ／Ｆ３０３により、その機能を実現する。各機能部の処理結果は、例えば、メモリ３０２に記憶される。また、撮影装置１０１は、図５〜図７に示した各種ＤＢ１３０，２２０，２３０を有している。
【０１９０】
特定部２００１は、取得部８０１によって取得された自装置の装置情報に基づいて、圃場Ｆ１〜Ｆｎの中から撮影装置１０１の撮影対象となる圃場Ｆｉを特定する機能を有する。特定部２００１の具体的な処理内容は、図１３に示した情報提供装置１０２の特定部１３０２と同様のため、ここでは詳細な説明を省略する。
【０１９１】
抽出部２００２は、構図ＤＢ１３０の中から、特定された圃場Ｆｉで栽培されている作物を撮影する際の撮影画像の構図を表す構図画像Ｃを抽出する機能を有する。抽出部２００２の具体的な処理内容は、図１３に示した情報提供装置１０２の抽出部１３０３と同様のため、ここでは詳細な説明を省略する。
【０１９２】
表示制御部８０４は、撮影対象となる対象作物を撮影する際の撮影画像の構図を表す構図画像Ｃをディスプレイ１１０に表示する。ここで、構図画像Ｃは、抽出部２００２によって構図ＤＢ１３０の中から抽出された構図画像である。表示制御部８０４の具体的な処理内容は、実施の形態１で説明した処理内容と同様のため、ここでは詳細な説明を省略する。
【０１９３】
（撮影装置１０１の撮影支援処理手順）
つぎに、実施の形態２にかかる撮影装置１０１の撮影支援処理手順について説明する。図２１は、実施の形態２にかかる撮影装置１０１の撮影支援処理手順の一例を示すフローチャートである。図２１のフローチャートにおいて、まず、撮影装置１０１により、カメラ１２０が起動されたか否かを判断する（ステップＳ２１０１）。
【０１９４】
ここで、撮影装置１０１により、カメラ１２０が起動されるのを待って（ステップＳ２１０１：Ｎｏ）、カメラ１２０が起動された場合（ステップＳ２１０１：Ｙｅｓ）、取得部８０１により、自装置の装置情報を取得する（ステップＳ２１０２）。つぎに、抽出部２００２により、構図ＤＢ１３０の中から構図情報を抽出する構図情報抽出処理を実行する（ステップＳ２１０３）。
【０１９５】
そして、表示制御部８０４により、カメラ１２０のファインダ画面ＦＳに被写体とともに構図画像Ｃ、作物情報および撮影目的情報を表示する（ステップＳ２１０４）。つぎに、撮影装置１０１により、カメラ１２０によって撮影画像が撮影されたか否かを判断する（ステップＳ２１０５）。
【０１９６】
ここで、撮影装置１０１により、撮影画像が撮影されるのを待つ（ステップＳ２１０５：Ｎｏ）。そして、撮影画像が撮影された場合（ステップＳ２１０５：Ｙｅｓ）、出力部８０５により、撮影された撮影画像を撮影画像ＤＢ２１０に記録して（ステップＳ２１０６）、本フローチャートによる一連の処理を終了する。
【０１９７】
これにより、対象作物の撮影時に、対象作物の作物名と生育ステージとの組み合わせに対応する構図画像Ｃが表す構図の撮影画像が撮影されるように撮影者を支援することができる。なお、図２１に示したステップＳ２１０３の構図情報抽出処理の具体的な処理手順は、図１９に示した構図情報抽出処理の具体的な処理手順と同様のため説明を省略する。
【０１９８】
なお、実施の形態２の場合、見回り結果一覧画面１５００は、撮影装置１０１のディスプレイ１１０に表示することにしてもよい。もしくは、撮影画像ＤＢ２１０に記録した情報を、無線または有線の通信、もしくは可搬可能な記憶媒体を解して情報提供装置１０２に複製し、情報提供装置１０２のディスプレイ４０８に表示することにしてもよい。
【０１９９】
以上説明したように、実施の形態２にかかる撮影装置１０１によれば、自装置の装置情報に基づいて、圃場Ｆ１〜Ｆｎの中から撮影対象となる圃場Ｆｉを特定することができる。また、撮影装置１０１によれば、撮影対象となる圃場Ｆｉで栽培されている作物の作物名と生育ステージとの組み合わせに対応する構図情報を取得することができる。
【０２００】
なお、本実施の形態で説明した撮影支援方法は、予め用意されたプログラムをパーソナル・コンピュータやワークステーション等のコンピュータで実行することにより実現することができる。本撮影支援プログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。また、本撮影支援プログラムは、インターネット等のネットワークを介して配布してもよい。
【符号の説明】
【０２０１】
１０１  撮影装置
１０２  情報提供装置
１３０  構図ＤＢ
８０１  取得部
８０２，１３０４  送信部
８０３，１３０１  受信部
８０４  表示制御部
８０５  出力部
１３０２，２００１  特定部
１３０３，２００２  抽出部
【図１】
2013030965.tif 000003
【図２】
2013030965.tif 000004
【図３】
2013030965.tif 000005
【図４】
2013030965.tif 000006
【図５】
2013030965.tif 000007
【図６】
2013030965.tif 000008
【図７】
2013030965.tif 000009
【図８】
2013030965.tif 000010
【図９】
2013030965.tif 000011
【図１０】
2013030965.tif 000012
【図１１】
2013030965.tif 000013
【図１２】
2013030965.tif 000014
【図１３】
2013030965.tif 000015
【図１４】
2013030965.tif 000016
【図１５】
2013030965.tif 000017
【図１６】
2013030965.tif 000018
【図１７】
2013030965.tif 000019
【図１８】
2013030965.tif 000020
【図１９】
2013030965.tif 000021
【図２０】
2013030965.tif 000022
【図２１】
2013030965.tif 000023
【手続補正書】
【提出日】平成26年2月26日(2014.2.26)
【手続補正１】
【補正対象書類名】特許請求の範囲
【補正対象項目名】全文
【補正方法】変更
【補正の内容】
【特許請求の範囲】
【請求項１】
表示部と、
作物を撮影する際の撮影画像の構図を示す情報を前記作物に対して複数記憶する記憶部の中から、圃場に関する情報に基づいて決定された該構図を示す情報を取得する取得部と、
前記取得部によって取得された前記構図を示す情報を前記表示部に表示する表示制御部と、
を有することを特徴とする撮影装置。
【請求項２】
前記記憶部は、前記構図を示す情報を、前記作物の種別と前記作物の生育段階との組み合わせごとに記憶しており、
前記取得部は、
前記記憶部の中から、対象作物の種別と前記対象作物の生育段階との組み合わせに対応する構図を示す情報を取得することを特徴とする請求項１に記載の撮影装置。
【請求項３】
前記表示制御部は、
さらに、前記対象作物の種別と前記対象作物の生育段階とを特定する情報を前記表示部に表示することを特徴とする請求項２に記載の撮影装置。
【請求項４】
前記記憶部は、前記構図を示す情報を、前記作物の種別と前記作物の生育段階と前記作物を撮影する撮影対象との組み合わせごとに記憶しており、
前記取得部は、
前記記憶部の中から、前記対象作物の種別と前記対象作物の生育段階と前記対象作物を撮影する撮影対象との組み合わせに対応する構図を示す情報を取得することを特徴とする請求項１〜３のいずれか一つに記載の撮影装置。
【請求項５】
前記表示制御部は、
さらに、前記対象作物を撮影する撮影対象を特定する情報を前記表示部に表示することを特徴とする請求項４に記載の撮影装置。
【請求項６】
圃場群の中から撮影対象となる対象圃場を特定する特定部と、
前記圃場群の各々の圃場で栽培されている作物の種別を特定する作物情報を記憶する作物情報記憶部の中から、前記特定部によって特定された前記対象圃場で栽培されている作物の種別を特定する作物情報を抽出する抽出部と、を有し、
前記取得部は、
前記記憶部の中から、前記抽出部によって抽出された前記作物情報から特定される作物の種別に対応する構図を示す情報を取得することを特徴とする請求項１〜５のいずれか一つに記載の撮影装置。
【請求項７】
自装置を識別する装置情報を、前記記憶部を有する情報提供装置に送信する送信部を有し、
前記取得部は、
前記送信部によって前記装置情報が送信された結果、前記記憶部に記憶されている構図を示す情報群のうち、前記装置情報から特定される圃場で栽培されている作物の種別に対応する構図を示す情報を前記情報提供装置から取得することを特徴とする請求項１〜６のいずれか一つに記載の撮影装置。
【請求項８】
前記表示部は、前記撮影装置が有する撮影部により撮影される被写体を表示する表示部であり、
前記表示制御部は、前記構図を示す情報を、前記被写体とともに前記表示部に表示することを特徴とする請求項１〜７のいずれか一つに記載の撮影装置。
【請求項９】
コンピュータに、
作物を撮影する際の撮影画像の構図を示す情報を前記作物に対して複数記憶する記憶部の中から、圃場に関する情報に基づいて決定された該構図を示す情報を取得し、
表示部を制御して、取得した前記構図を示す情報を表示する、
処理を実行させることを特徴とする撮影支援プログラム。
【請求項１０】
コンピュータにより実行される方法であって、該コンピュータが、
撮影対象とする圃場を特定可能な情報を、前記コンピュータと通信可能に接続された撮影装置から受信し、
作物を撮影する際の撮影画像の構図を示す情報を前記作物に対して複数記憶する記憶部の中から、受信した前記情報に基づいて特定された圃場に基づいて、該構図を示す情報を抽出し、
抽出した前記構図を示す情報を前記撮影装置に送信する、
処理を実行することを特徴とする情報提供方法。
【請求項１１】
コンピュータに、
撮影対象とする圃場を特定可能な情報を撮影装置から受信し、
作物を撮影する際の撮影画像の構図を示す情報を前記作物に対して複数記憶する記憶部の中から、受信した前記情報に基づいて特定された圃場に基づいて決定された該構図を示す情報を抽出し、
抽出した前記構図を示す情報を前記撮影装置に送信する、
処理を実行させることを特徴とする情報提供プログラム。
【手続補正２】
【補正対象書類名】明細書
【補正対象項目名】全文
【補正方法】変更
【補正の内容】
【発明の詳細な説明】
【技術分野】
【０００１】
本発明は、撮影を支援する撮影装置、撮影支援プログラム、情報提供方法、および情報提供プログラムに関する。
【背景技術】
【０００２】
従来から、圃場で栽培されている農作物の生育状況を把握する材料として、農作物を撮影した写真が用いられている。例えば、大規模農場の経営者は、従業員が現場で撮影した写真から農作物の生育状況を把握することにより、農作物の生育状況に合った対応策を検討する。
【０００３】
関連する先行技術として、工事記録写真の撮影を支援するものがある。例えば、各撮影箇所に撮影番号が付記された地図、撮影番号ごとの撮影指示、撮影番号ごとの写真見出し項目を記憶する各種メモリを有し、入力される地図呼出し信号に基づいて地図を、撮影番号に基づいて撮影指示または写真見出し項目を表示する技術がある（例えば、下記特許文献１参照。）。
【０００４】
また、写真撮影において予め設定された複数の構図の中から一の構図を選択する技術がある。例えば、予め設定された撮影のための構図を選択キーと対応付けて格納するメモリを有し、選択キーが押されると、押された選択キーに対応する構図をメモリから選択して表示部に表示させる技術がある（例えば、下記特許文献２参照。）。
【先行技術文献】
【特許文献】
【０００５】
【特許文献１】特開平６−１９４７３８号公報
【特許文献２】特開平１１−２４１５３号公報
【発明の概要】
【発明が解決しようとする課題】
【０００６】
しかしながら、上述した従来技術では、圃場で栽培されている農作物を撮影する際に、撮影者がどこを重視して撮影すればよいのか分からず、撮影された写真が農作物の生育状況を把握する材料として不適切なものとなってしまう場合があるという問題がある。
【０００７】
例えば、同一の圃場であっても栽培中の作物の種別（例えば、品目、品種、作型）ごとに、撮影時に着目すべき箇所が異なる場合がある。このため、熟練度の低い作業者は、農作物のどこを重視して撮影すればよいのか判断できず、農作物の生育状況を把握する材料として適切な写真を撮影することが難しい場合がある。
【０００８】
本発明は、上述した従来技術による問題点を解消するため、作物の撮影を支援することができる撮影装置、撮影支援プログラム、情報提供方法、および情報提供プログラムを提供することを目的とする。
【課題を解決するための手段】
【０００９】
上述した課題を解決し、目的を達成するため、本発明の一側面によれば、作物を撮影する際の撮影画像の構図を示す情報を前記作物に対して複数記憶する記憶部の中から、圃場に関する情報に基づいて決定された該構図を示す情報を取得し、表示部を制御して、取得した前記構図を示す情報を表示する撮影装置および撮影支援プログラムが提案される。
【００１０】
また、上述した課題を解決し、目的を達成するため、本発明の一側面によれば、撮影対象とする圃場を特定可能な情報を、通信可能に接続された撮影装置から受信し、作物を撮影する際の撮影画像の構図を示す情報を前記作物に対して複数記憶する記憶部の中から、受信した前記情報に基づいて特定された圃場に基づいて、該構図を示す情報を抽出し、抽出した前記構図を示す情報を前記撮影装置に送信する情報提供方法および情報提供プログラムが提案される。
【発明の効果】
【００１１】
本発明の一側面によれば、作物の撮影を支援することができるという効果を奏する。
【図面の簡単な説明】
【００１２】
【図１】図１は、実施の形態１にかかる撮影支援方法の一実施例を示す説明図である。
【図２】図２は、実施の形態１にかかる撮影支援システム２００のシステム構成例を示す説明図である。
【図３】図３は、撮影装置１０１のハードウェア構成例を示すブロック図である。
【図４】図４は、情報提供装置１０２等のハードウェア構成例を示すブロック図である。
【図５】図５は、構図ＤＢ１３０の記憶内容の一例を示す説明図である。
【図６】図６は、圃場ＤＢ２２０の記憶内容の一例を示す説明図である。
【図７】図７は、撮影画像ＤＢ２３０の記憶内容の一例を示す説明図である。
【図８】図８は、実施の形態１にかかる撮影装置１０１の機能的構成を示すブロック図である。
【図９】図９は、ファインダ画面ＦＳの画面例を示す説明図（その１）である。
【図１０】図１０は、ファインダ画面ＦＳの画面例を示す説明図（その２）である。
【図１１】図１１は、ファインダ画面ＦＳの画面例を示す説明図（その３）である。
【図１２】図１２は、ファインダ画面ＦＳの画面例を示す説明図（その４）である。
【図１３】図１３は、実施の形態１にかかる情報提供装置１０２の機能的構成を示すブロック図である。
【図１４】図１４は、作業予定情報の具体例を示す説明図である。
【図１５】図１５は、見回り結果一覧画面１５００の画面例を示す説明図である。
【図１６】図１６は、実施の形態１にかかる撮影装置１０１の撮影支援処理手順の一例を示すフローチャート（その１）である。
【図１７】図１７は、実施の形態１にかかる撮影装置１０１の撮影支援処理手順の一例を示すフローチャート（その２）である。
【図１８】図１８は、実施の形態１にかかる情報提供装置１０２の情報提供処理手順の一例を示すフローチャートである。
【図１９】図１９は、構図情報抽出処理の具体的処理手順の一例を示すフローチャートである。
【図２０】図２０は、実施の形態２にかかる撮影装置１０１の機能的構成を示すブロック図である。
【図２１】図２１は、実施の形態２にかかる撮影装置１０１の撮影支援処理手順の一例を示すフローチャートである。
【発明を実施するための形態】
【００１３】
以下に添付図面を参照して、この発明にかかる撮影装置、撮影支援プログラム、情報提供方法、および情報提供プログラムの実施の形態を詳細に説明する。
【００１４】
（実施の形態１）
図１は、実施の形態１にかかる撮影支援方法の一実施例を示す説明図である。図１において、撮影装置１０１は、作業者Ｗが使用する可搬型のコンピュータである。撮影装置１０１は、ディスプレイ１１０とカメラ１２０とを有する。ディスプレイ１１０は、撮影装置１０１の画面出力部として動作することも、カメラ１２０のファインダ画面としても動作することもできる。ディスプレイ１１０は、被写体を表示する。カメラ１２０は、ディスプレイ１１０に表示された被写体を撮影する。
【００１５】
ここで、作業者Ｗとは、農作業に従事する者である。作業者Ｗは、農作業の一環として圃場で栽培されている作物を撮影する。圃場とは、作物を栽培、生育するための田畑、菜園などである。作物とは、例えば、田畑や菜園などで作られる穀類や野菜などの農作物である。
【００１６】
情報提供装置１０２は、構図ＤＢ（データベース）１３０を備え、撮影装置１０１に構図画像を提供するコンピュータである。ここで、構図ＤＢ１３０は、作物を撮影する際の撮影画像の構図を表す構図画像を作物の種別ごとに記憶するデータベースである。作物の種別とは、作物を分類するための情報である。例えば、作物の種別は、作物の品目、品種、作型などを用いて分類される。また、構図とは、撮影画像の仕上がりの効果を配慮した撮影画面の構成である。なお、構図ＤＢ１３０の記憶内容については、図５を用いて後述する。
【００１７】
本実施の形態では、撮影対象となる対象作物の撮影時に、カメラ１２０のファインダ画面に対象作物の種別に適した構図を被写体とともに表示する。これにより、どこを重視して撮影すればよいのかの撮影者の判断を容易にして、作物の生育状況を把握し易い写真の撮影を可能にする。ファインダ画面とは、撮影画像の撮影範囲や構図を決めたりピントを合わせたりするのに使用する画面（または、覗き窓）である。
【００１８】
以下、実施の形態１にかかる撮影支援方法の一実施例について説明する。ここでは、撮影対象となる対象作物として、圃場で栽培されている「水稲」を撮影する場合を例に挙げて説明する。
【００１９】
（１）撮影装置１０１は、情報提供装置１０２に自装置を識別する装置情報１４０を送信する。ここで、装置情報１４０は、例えば、撮影装置１０１の装置ＩＤ（ｉｄｅｎｔｉｆｉｃａｔｉｏｎ）、作業者Ｗの作業者ＩＤ、撮影装置１０１の位置情報の、少なくともいずれか一つを含む情報である。
【００２０】
（２）情報提供装置１０２は、撮影装置１０１からの装置情報１４０に基づいて、構図ＤＢ１３０の中から、撮影装置１０１の撮影対象となる対象作物の種別に対応する構図画像を抽出する。対象作物の種別は、例えば、装置情報１４０に含まれる装置ＩＤ、作業者ＩＤ、撮影装置１０１の位置情報などから特定される。
【００２１】
（３）情報提供装置１０２は、構図ＤＢ１３０の中から抽出した構図画像１５０を撮影装置１０１に送信する。構図画像１５０は、対象作物を撮影する際の撮影画像の構図を表す画像情報であり、対象作物の種別に対応している。
【００２２】
（４）撮影装置１０１は、情報提供装置１０２から取得した構図画像１５０を被写体とともにディスプレイ１１０に表示する。具体的には、例えば、撮影装置１０１が、ディスプレイ１１０に表示されるカメラ１２０のファインダ画面に被写体とともに構図画像１５０を表示する。
【００２３】
図１の（１−１）に示す例では、撮影装置１０１のカメラ１２０が起動された結果、ディスプレイ１１０上のファインダ画面１６０に構図画像１５０が表示されている。構図画像１５０は、線分１５１と、文字１５２と、文字１５３と、を含む画像情報である。なお、ファインダ画面１６０には、被写体と構図画像１５０とが重畳表示されることになるが、図面では被写体の表示を省略している。
【００２４】
ここで、線分１５１は、ファインダ画面１６０を水平方向に区切って２分割する線である。文字１５２は、ファインダ画面１６０を２分割した領域のうち上側の領域に収めるべき被写体（ここでは、「空」）を表している。また、文字１５３は、ファインダ画面１６０を２分割した領域のうち上側の領域に収めるべき被写体（ここでは、「圃場」）を表している。
【００２５】
構図画像１５０によれば、作業者Ｗは、圃場で栽培されている「水稲」を撮影する際に、ファインダ画面１６０を２分割した領域のうち上側の領域に「空」を収め、下側の領域に「圃場」を収めればよいことを認識することができる。すなわち、作業者Ｗは、圃場全体に着目して「水稲」を撮影すればよいことがわかる。
【００２６】
図１の（１−２）に示す例では、撮影対象となる「水稲」が撮影された結果、ディスプレイ１１０に撮影画像１７０が表示されている。撮影画像１７０は、上側に背景となる空が写り、下側に圃場全体の水稲が写った構図となっている。撮影画像１７０によれば、圃場で栽培されている水稲の生育状況をまんべんなく把握することができる。
【００２７】
以上説明した、実施の形態１にかかる撮影支援方法によれば、撮影対象となる対象作物を撮影する際に、対象作物の種別に対応する撮影画像の構図を表す構図画像をファインダ画面に表示することができる。これにより、対象作物の撮影時に、作成者Ｗがファインダ画面に表示された構図画像を基準にして、どのような構図で何を重視した撮影を行えばよいのか容易に判断することができる。また、対象作物の種別特有の構図に従って撮影することにより、対象作物の生育状況を把握し易い撮影画像を得ることができる。
【００２８】
例えば、作物を上手く栽培することができた過去の成功事例と、現在栽培中の圃場における作物の写真群とを一覧表示して比較しようとした場合を想定する。ここで、両圃場の作物間で比較すべき部分が、バラバラな位置に写っていたり、不鮮明であったり、写っていなかったりすれば、ユーザは一覧された写真群を利用した比較作業を行うことが難しくなる。実施の形態１にかかる撮影支援方法によって撮影された画像は、生育状況を把握するために着目すべき部分が、複数の写真それぞれにおいて略同じ位置に、鮮明に撮影に写されている。従って、本撮影支援方法であれば、撮影された画像の可用性を高めることができる。
【００２９】
（撮影支援システム２００のシステム構成例）
つぎに、実施の形態１にかかる撮影支援システム２００のシステム構成例について説明する。図２は、実施の形態１にかかる撮影支援システム２００のシステム構成例を示す説明図である。図２において、撮影支援システム２００は、複数の撮影装置１０１（図面では、３台）と、情報提供装置１０２と、クライアント装置２０１と、を含む。
【００３０】
撮影支援システム２００において、撮影装置１０１、情報提供装置１０２およびクライアント装置２０１は、有線または無線のネットワーク２４０を介して接続されている。ネットワーク２４０は、例えば、インターネット、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）などである。
【００３１】
ここで、撮影装置１０１は、撮影画像ＤＢ２１０を有し、農作業に従事する各々の作業者Ｗが使用する可搬型のコンピュータである。撮影装置１０１は、撮影機能および通信機能および表示機能を有していればよい。撮影装置１０１は、例えば、デジタルカメラ、携帯電話、ＰＤＡ（Ｐｅｒｓｏｎａｌ  Ｄｉｇｉｔａｌ  Ａｓｓｉｓｔａｎｔ）、スマートフォンなどに適用することができる。
【００３２】
情報提供装置１０２は、構図ＤＢ１３０、圃場ＤＢ２２０および撮影画像ＤＢ２３０を有し、各々の作業者Ｗが使用する撮影装置１０１に構図画像を提供するコンピュータである。また、情報提供装置１０２は、各々の作業者Ｗが使用する撮影装置１０１で撮影された撮影画像を一元的に管理することができる。
【００３３】
情報提供装置１０２は、例えば、クラウドコンピューティングシステムに含まれるサーバや大規模農場の経営者によって使用されるＰＣ（パーソナル・コンピュータ）、ノートＰＣなどに適用することができる。なお、各種ＤＢ１３０，２２０，２３０の記憶内容については、図５〜図７を用いて後述する。
【００３４】
クライアント装置２０１は、情報提供装置１０２にアクセスして、撮影画像ＤＢ２３０に格納されている撮影画像を閲覧する機能を有するコンピュータである。クライアント装置２０１は、例えば、農場の経営者や従業員によって使用されるＰＣやノートＰＣである。
【００３５】
（撮影装置１０１のハードウェア構成例）
図３は、撮影装置１０１のハードウェア構成例を示すブロック図である。図３において、撮影装置１０１は、ＣＰＵ（Ｃｅｎｔｒａｌ  Ｐｒｏｃｅｓｓｉｎｇ  Ｕｎｉｔ）３０１と、メモリ３０２と、Ｉ／Ｆ（Ｉｎｔｅｒｆａｃｅ）３０３と、操作ボタン３０４と、ＧＰＳ（Ｇｌｏｂａｌ  Ｐｏｓｉｔｉｏｎｉｎｇ  Ｓｙｓｔｅｍ）ユニット３０５と、ディスプレイ１１０と、カメラ１２０と、を有する。また、各構成部はバス３００によってそれぞれ接続されている。
【００３６】
ここで、ＣＰＵ３０１は、撮影装置１０１の全体の制御を司る。メモリ３０２は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）およびフラッシュＲＯＭなどを含む。ＲＯＭおよびフラッシュＲＯＭは、例えば、ブートプログラムなどの各種プログラムを記憶する。ＲＡＭは、ＣＰＵ３０１のワークエリアとして使用される。
【００３７】
Ｉ／Ｆ３０３は、通信回線を通じてネットワーク２４０に接続され、ネットワーク２４０を介して他の装置（例えば、情報提供装置１０２、クライアント装置２０１）に接続される。そして、Ｉ／Ｆ３０３は、ネットワーク２４０と内部のインターフェースを司り、外部装置からのデータの入出力を制御する。
【００３８】
操作ボタン３０４は、データの入力を行う。操作ボタン３０４は、文字、数字、各種指示などの入力のためのキーを備えるものであってもよく、また、タッチパネル式の入力パッドやテンキーなどであってもよい。
【００３９】
ＧＰＳユニット３０５は、ＧＰＳ衛星からの電波を受信し、撮影装置１０１の位置情報を出力する。撮影装置１０１の位置情報は、例えば、緯度、経度などの地球上の１点を特定する情報である。また、撮影装置１０１は、ＤＧＰＳ（Ｄｉｆｆｅｒｅｎｔｉａｌ  ＧＰＳ）により、ＧＰＳユニット３０５から出力される位置情報を補正することにしてもよい。
【００４０】
ディスプレイ１１０は、カーソル、アイコンあるいはツールボックスをはじめ、文書、画像、機能情報などのデータを表示する。ディスプレイ１１０は、タッチパネル式の入力パッドやテンキーなどの操作ボタン３０４と組み合わせたものであってもよい。ディスプレイ１１０としては、例えば、ＬＣＤ（Ｌｉｑｕｉｄ  Ｃｒｙｓｔａｌ  Ｄｉｓｐｌａｙ）を採用することができる。
【００４１】
カメラ１２０は、静止画または動画を撮影し、画像データとして出力する。カメラ１２０により撮影された撮影画像は、例えば、画像データとしてメモリ３０２に記録される。なお、カメラ１２０は、夜間での撮影を可能とする赤外線カメラであってもよい。また、撮影装置１０１は、上述した構成部のほかに、ジャイロセンサ、３軸加速度センサなどの各種センサを有することにしてもよい。
【００４２】
（情報提供装置１０２等のハードウェア構成例）
つぎに、図２に示した情報提供装置１０２およびクライアント装置２０１（ここでは、単に「情報提供装置１０２等」と表記する）のハードウェア構成例について説明する。
【００４３】
図４は、情報提供装置１０２等のハードウェア構成例を示すブロック図である。図４において、情報提供装置１０２等は、ＣＰＵ４０１と、ＲＯＭ４０２と、ＲＡＭ４０３と、磁気ディスクドライブ４０４と、磁気ディスク４０５と、光ディスクドライブ４０６と、光ディスク４０７と、ディスプレイ４０８と、Ｉ／Ｆ４０９と、キーボード４１０と、マウス４１１と、スキャナ４１２と、プリンタ４１３と、を有している。また、各構成部はバス４００によってそれぞれ接続されている。
【００４４】
ここで、ＣＰＵ４０１は、情報提供装置１０２等の全体の制御を司る。ＲＯＭ４０２は、ブートプログラムなどのプログラムを記憶している。ＲＡＭ４０３は、ＣＰＵ４０１のワークエリアとして使用される。磁気ディスクドライブ４０４は、ＣＰＵ４０１の制御にしたがって磁気ディスク４０５に対するデータのリード／ライトを制御する。磁気ディスク４０５は、磁気ディスクドライブ４０４の制御で書き込まれたデータを記憶する。
【００４５】
光ディスクドライブ４０６は、ＣＰＵ４０１の制御にしたがって光ディスク４０７に対するデータのリード／ライトを制御する。光ディスク４０７は、光ディスクドライブ４０６の制御で書き込まれたデータを記憶したり、光ディスク４０７に記憶されたデータをコンピュータに読み取らせたりする。
【００４６】
ディスプレイ４０８は、カーソル、アイコンあるいはツールボックスをはじめ、文書、画像、機能情報などのデータを表示する。ディスプレイ４０８としては、例えば、ＣＲＴ、ＴＦＴ液晶ディスプレイ、プラズマディスプレイなどを採用することができる。
【００４７】
Ｉ／Ｆ４０９は、通信回線を通じてネットワーク２４０に接続され、ネットワーク２４０を介して他の装置（例えば、撮影装置１０１）に接続される。そして、Ｉ／Ｆ４０９は、ネットワーク２４０と内部のインターフェースを司り、外部装置からのデータの入出力を制御する。Ｉ／Ｆ４０９には、例えば、モデムやＬＡＮアダプタなどを採用することができる。
【００４８】
キーボード４１０は、文字、数字、各種指示などの入力のためのキーを備え、データの入力を行う。また、タッチパネル式の入力パッドやテンキーなどであってもよい。マウス４１１は、カーソルの移動や範囲選択、あるいはウィンドウの移動やサイズの変更などを行う。ポインティングデバイスとして同様に機能を備えるものであれば、トラックボールやジョイスティックなどであってもよい。
【００４９】
スキャナ４１２は、画像を光学的に読み取り、情報提供装置１０２内に画像データを取り込む。なお、スキャナ４１２は、ＯＣＲ（Ｏｐｔｉｃａｌ  Ｃｈａｒａｃｔｅｒ  Ｒｅａｄｅｒ）機能を持たせてもよい。また、プリンタ４１３は、画像データや文書データを印刷する。プリンタ４１３には、例えば、レーザプリンタやインクジェットプリンタを採用することができる。
【００５０】
なお、情報提供装置１０２は、上述した構成部のうち、光ディスクドライブ４０６や光ディスク４０７やディスプレイ４０８やキーボード４１０やマウス４１１やスキャナ４１２やプリンタ４１３を有していなくてもよい。
【００５１】
（各種ＤＢ１３０，２２０，２３０の記憶内容）
つぎに、情報提供装置１０２が備える各種ＤＢ１３０，２２０，２３０の記憶内容について説明する。各種ＤＢ１３０，２２０，２３０は、例えば、図４に示した情報提供装置１０２のＲＡＭ４０３、磁気ディスク４０５、光ディスク４０７などの記憶部により実現される。
【００５２】
＜構図ＤＢ１３０の記憶内容＞
図５は、構図ＤＢ１３０の記憶内容の一例を示す説明図である。図５において、構図ＤＢ１３０は、作物名、生育ステージ、撮影目的、構図画像のフィールドを有する。各フィールドに情報を設定することで、作物名と生育ステージとの組み合わせごとの構図情報（例えば、構図情報５００−１〜５００−１６）がレコードとして記憶されている。
【００５３】
作物名は、作物の名称である。作物名は、作物の種別を表している。生育ステージは、作物の生育段階を示す情報である。水稲の生育ステージを例に挙げると、田植期、活着期、幼穂形成期、出穂期、登熟期、成熟期、収穫期などがある。また、キャベツの生育ステージを例に挙げると、播種期、育苗期、移植期、定植期、生育期、収穫期などがある。
【００５４】
撮影目的は、作物を撮影する目的を表している。別の言い方をすれば、撮影された画像上で確認されるべき対象、すなわち撮影対象を示している。例えば、水稲であれば、稲の苗を水田に植え付ける田植期は、植え付けた苗の列（条）と列との間の間隔（条間）を確認する。このため、作物名「水稲」の生育ステージ「田植期」における撮影目的は「条間確認」となる。
【００５５】
また、田植え直後の活着期は、水面に出ている茎の太さが所定の太さになっているかによって活着しているか否かを確認したり、苗の葉の色を確認する。このため、作物名「水稲」の生育ステージ「活着期」における撮影目的は「苗確認」となる。また、減農薬の水田では、田植え直後の活着期は、赤虫が出ているか否かによって水田が健康な状態か否かを確認する。このため、作物名「水稲」の生育ステージ「活着期」における撮影目的は「田圃状態確認」となる。
【００５６】
構図画像は、作物を撮影する際の撮影画像の構図を表す画像情報である。構図画像が表す構図は、撮影者に対して、どこを重視して撮影すればよいのかをガイドする役割を持つ。なお、構図画像の具体例については、図９〜図１２を用いて後述する。構図情報５００−１を例に挙げると、作物名「水稲」の生育ステージ「田植期」における撮影目的「条間確認」および構図画像「Ｃ１」が示されている。
【００５７】
なお、構図画像として記憶されているデータは、構図を示す情報であれば、画像情報に限るものではない。例えば、ミカンの収穫期の剪定確認用途であれば「剪定した切り口が画像中央に写るように撮影して下さい」という文字情報又は音声情報を、構図を示す情報として記憶させることが考えられる。このように、撮影すべき箇所についての情報と、該撮影すべき箇所が画像上のどの位置に写されるべきかを示す情報とが含まれていれば、撮影者に対して構図を指示する文字情報や音声情報であってもよい。
【００５８】
＜圃場ＤＢ２２０の記憶内容＞
図６は、圃場ＤＢ２２０の記憶内容の一例を示す説明図である。図６において、圃場ＤＢ２２０は、圃場ＩＤ、圃場名、作物名、生育ステージおよび圃場位置のフィールドを有する。各フィールドに情報を設定することで、圃場Ｆ１〜Ｆｎの圃場情報６００−１〜６００−ｎがレコードとして記憶されている。
【００５９】
ここで、圃場ＩＤは、各地に点在する圃場Ｆ１〜Ｆｎを一意に識別する識別子である。圃場Ｆ１〜Ｆｎは、例えば、クライアント装置２０１を使用する大規模農場の経営者が管理している圃場である。以下、圃場Ｆ１〜Ｆｎのうち任意の圃場を「圃場Ｆｉ」と表記する（ｉ＝１，２，…，ｎ）。
【００６０】
圃場名は、圃場Ｆｉの名称である。作物名は、圃場Ｆｉで栽培されている作物の名称である。生育ステージは、圃場Ｆｉで栽培されている作物の生育段階を示す情報である。圃場位置は、圃場Ｆｉの位置情報である。圃場位置は、例えば、地図上にマッピングされた圃場Ｆｉの重心位置や、圃場Ｆｉの北端位置、西端位置、東端位置、南端位置などのエリアを特定する情報である。
【００６１】
圃場情報６００−１を例に挙げると、圃場Ｆ１の圃場名「圃場Ａ」、作物名「キャベツ」、生育ステージ「播種期」および圃場位置「Ｌ１」が示されている。なお、圃場ＤＢ２２０には、例えば、圃場Ｆｉで行われる農作業の作業予定を示す作業予定情報が含まれていてもよい。作業予定情報についての具体的な説明は、図１４を用いて後述する。
【００６２】
＜撮影画像ＤＢ２３０の記憶内容＞
図７は、撮影画像ＤＢ２３０の記憶内容の一例を示す説明図である。図７において、撮影画像ＤＢ２３０は、画像ＩＤ、撮影日、撮影時刻、撮影者、圃場ＩＤ、圃場名および画像情報のフィールドを有する。各フィールドに情報を設定することで、撮影情報（例えば、撮影情報７００−１、７００−２）がレコードとして記憶されている。
【００６３】
画像ＩＤは、撮影装置１０１により撮影された撮影画像を一意に識別する識別子である。撮影日は、撮影画像が撮影された年月日である。撮影時刻は、撮影画像が撮影された時刻である。撮影者は、撮影画像を撮影した作業者Ｗを特定する情報（例えば、作業者ＩＤ）である。圃場ＩＤは、圃場Ｆｉの識別子である。圃場名は、圃場Ｆｉの名称である。
【００６４】
画像情報は、撮影装置１０１により撮影された撮影画像の画像情報である。画像情報には、対象作物を特定する作物情報および対象作物を撮影する撮影目的を表す撮影目的情報が含まれている。なお、作物情報および撮影目的情報についての詳細な説明は後述する。
【００６５】
撮影情報７００−１を例に挙げると、撮影画像Ｐ１の撮影日「２０１０／９／２１」、撮影時刻「１４：４５」、撮影者「作業者Ａ」、圃場ＩＤ「Ｆ１」、圃場名「圃場Ａ」および画像情報「Ｄ１」が示されている。各撮影情報には、撮影画像の撮影時における撮影装置１０１の位置情報（すなわち、撮影地点）が含まれていてもよい。
【００６６】
なお、撮影装置１０１が備える撮影画像ＤＢ２１０の記憶内容については、上述した情報提供装置１０２が備える撮影画像ＤＢ２３０と同様のため、ここでは図示および説明を省略する。撮影画像ＤＢ２１０は、例えば、図３に示した撮影装置１０１のメモリ３０２により実現される。
【００６７】
（撮影装置１０１の機能的構成例）
図８は、実施の形態１にかかる撮影装置１０１の機能的構成を示すブロック図である。図８において、撮影装置１０１は、取得部８０１と、送信部８０２と、受信部８０３と、表示制御部８０４と、出力部８０５と、を含む構成である。取得部８０１〜出力部８０５は制御部となる機能であり、具体的には、例えば、図３に示したメモリ３０２に記憶されたプログラムをＣＰＵ３０１に実行させることにより、または、Ｉ／Ｆ３０３により、その機能を実現する。各機能部の処理結果は、例えば、メモリ３０２に記憶される。
【００６８】
取得部８０１は、自装置の装置情報を取得する機能を有する。自装置の装置情報は、例えば、自装置の装置ＩＤ、自装置を使用する作業者Ｗの作業者ＩＤ、自装置の位置情報などを含む情報である。自装置の装置ＩＤおよび作業者Ｗの作業者ＩＤは、例えば、メモリ３０２に記憶されている。自装置の位置情報は、例えば、図３に示したＧＰＳユニット３０５により取得される。なお、自装置の位置情報は、ＧＰＳユニット３０５から出力される位置情報をＤＧＰＳにより補正した補正後の位置情報であってもよい。
【００６９】
また、自装置の装置情報には、撮影対象となる対象圃場の圃場名や圃場ＩＤ、対象作物の作物名や生育ステージ、対象作物を撮影する撮影目的などを表す情報が含まれていてもよい。対象圃場の圃場名、圃場ＩＤ、対象作物の作物名、生育ステージおよび対象作物を撮影する撮影目的は、例えば、図３に示した操作ボタン３０４を用いた作業者Ｗの操作入力により、撮影装置１０１に直接入力される。
【００７０】
送信部８０２は、自装置の装置情報を情報提供装置１０２に送信する機能を有する。具体的には、例えば、カメラ１２０が起動された場合に、送信部８０２が、ネットワーク２４０を介して、自装置の装置情報を情報提供装置１０２に送信する。
【００７１】
受信部８０３は、自装置の装置情報が情報提供装置１０２に送信された結果、撮影対象となる対象作物を撮影する際の撮影画像の構図を表す構図画像を情報提供装置１０２から受信する機能を有する。以下、構図画像を代表して、構図画像のうちの１つを「構図画像Ｃ」と表記する場合がある。具体的には、例えば、受信部８０３が、ネットワーク２４０を介して、図５に示すような構図情報として、構図画像Ｃを含む構図情報を情報提供装置１０２から受信する。
【００７２】
構図画像Ｃは、例えば、構図ＤＢ１３０に記憶されている構図画像群のうち、対象作物の作物名と生育ステージとの組み合わせに対応する構図画像である。なお、構図情報には、撮影対象となる対象圃場の圃場ＩＤや圃場名が付加されていてもよい。
【００７３】
表示制御部８０４は、撮影対象となる対象作物を撮影する際の撮影画像の構図を表す構図画像Ｃをディスプレイ１１０に表示する機能を有する。具体的には、例えば、表示制御部８０４が、カメラ１２０のファインダ画面に被写体と構図画像Ｃとを重畳表示する。ファインダ画面は、例えば、ディスプレイ１１０に表示される。
【００７４】
これにより、ファインダ画面に表示された構図画像Ｃを基準にして、どのような構図で何を重視した撮影を行えばよいのかを作業者Ｗに認識させることができる。以下の説明では、ディスプレイ１１０に表示されるファインダ画面を「ファインダ画面ＦＳ」と表記する。
【００７５】
また、表示制御部８０４は、対象作物を特定する作物情報をディスプレイ１１０に表示する機能を有していてもよい。ここで、作物情報は、撮影者を支援するための情報である。作物情報は、例えば、対象圃場の圃場ＩＤ、圃場名、対象作物の作物名、生育ステージの少なくともいずれかを表す。
【００７６】
具体的には、例えば、表示制御部８０４が、ファインダ画面ＦＳに被写体とともに構図画像Ｃおよび作物情報を表示する。なお、対象作物の作物名、生育ステージは、例えば、構図画像Ｃを含む構図情報から特定される。対象圃場の圃場ＩＤ、圃場名は、例えば、構図画像Ｃを含む構図情報に付加されている。また、対象圃場の圃場ＩＤ、圃場名、対象作物の作物名、生育ステージは、作業者Ｗの操作入力により撮影装置１０１に直接入力されたものであってもよい。
【００７７】
これにより、対象作物の撮影時に、どの圃場で栽培されている何の作物を撮影すればよいのかを作業者Ｗに確認させることができ、対象作物とは異なる他の作物を撮影してしまうことを防ぐことができる。
【００７８】
また、表示制御部８０４は、対象作物を撮影する撮影目的を表す撮影目的情報をディスプレイ１１０に表示する機能を有していてもよい。ここで、撮影目的情報は、撮影者を支援するための情報である。具体的には、例えば、表示制御部８０４が、ファインダ画面ＦＳに被写体とともに構図画像Ｃ、作物情報および撮影目的情報を表示する。なお、対象作物を撮影する撮影目的は、例えば、構図画像Ｃを含む構図情報から特定される。また、対象作物を撮影する撮影目的は、作業者Ｗの操作入力により撮影装置１０１に直接入力されたものであってもよい。
【００７９】
これにより、対象作物の撮影時に、対象作物を何のために撮影するのかを作業者Ｗに確認させることができ、構図画像Ｃが表す構図の意味を作業者Ｗに理解させて適切な撮影画像を撮影するように支援することができる。なお、ファインダ画面ＦＳの画面例については、図９〜図１２を用いて後述する。
【００８０】
ところで、構図画像として記憶されているデータは構図画像に限らず、構図を示す情報である文字情報や音声情報であってもよい旨については上述したとおりである。構図ＤＢ１３０に記憶されている構図を示す情報が文字情報であって、撮影装置１０１がファインダ画面として動作するディスプレイ１１０以外の第二の表示部を有している場合、表示制御部８０４は、文字情報の出力先を該第二の表示部にしても構わない。当然ながら、構図を示す情報が音声情報である場合、表示制御部８０４はその情報を撮影装置１０１が有する音声出力部へ出力させる機能を有してもよい。
【００８１】
出力部８０５は、カメラ１２０によって撮影された撮影画像を出力する機能を有する。出力形式としては、例えば、ディスプレイ１１０への表示、Ｉ／Ｆ３０３による外部装置、例えば、情報提供装置１０２、クライアント装置２０１への送信がある。
【００８２】
具体的には、例えば、出力部８０５が、撮影画像と、撮影日時と、作業者ＩＤと、対象圃場情報と、対象作物情報とを関連付けて表す撮影情報を情報提供装置１０２に送信することにしてもよい。作業者ＩＤは、撮影装置１０１を使用する作業者Ｗ（撮影者）の識別子である。対象圃場情報は、例えば、対象圃場の圃場ＩＤや圃場名である。対象作物情報は、例えば、対象作物の作物名や生育ステージや撮影目的である。
【００８３】
また、出力部８０５が、撮影画像と、撮影日時と、作業者ＩＤと、対象圃場情報と、対象作物情報とを関連付けて表す撮影情報を撮影画像ＤＢ２１０に記録することにしてもよい。なお、対象圃場の圃場ＩＤや圃場名は、例えば、構図画像Ｃを含む構図情報に付加されている。
【００８４】
ここで、対象作物の作物名と生育ステージとの組み合わせに対応する構図画像は、複数存在する場合がある。例えば、作物名「水稲」と生育ステージ「活着期」との組み合わせに対応する構図画像は、構図画像Ｃ２と構図画像Ｃ３とがある（図５参照）。すなわち、受信部８０３は、対象作物を撮影する際の撮影画像の構図を表す複数の構図画像を情報提供装置１０２から受信する場合がある。
【００８５】
以下の説明では、対象作物の作物名と生育ステージとの組み合わせに対応する複数の構図画像を「構図画像Ｃ［１］〜Ｃ［Ｋ］」と表記する（Ｋ：１以上の自然数）。また、構図画像Ｃ［１］〜Ｃ［Ｋ］のうち任意の構図画像を「構図画像Ｃ［ｋ］」と表記する（ｋ＝１，２，…，Ｋ）。
【００８６】
この場合、表示制御部８０４は、構図画像Ｃ［１］〜Ｃ［Ｋ］の中からいずれかの構図画像Ｃ［ｋ］を選択することにしてもよい。そして、表示制御部８０４は、選択した構図画像Ｃ［ｋ］と被写体とをファインダ画面ＦＳに重畳表示することにしてもよい。
【００８７】
具体的には、例えば、表示制御部８０４が、図３に示した操作ボタン３０４を用いた作業者Ｗの操作入力に従って、構図画像Ｃ［１］〜Ｃ［Ｋ］の中から構図画像Ｃ［ｋ］を選択することにしてもよい。なお、構図画像Ｃ［ｋ］を選択する作業者Ｗの操作例については、図１２を用いて後述する。
【００８８】
また、ファインダ画面ＦＳに構図画像Ｃ［ｋ］が表示された結果、カメラ１２０によって撮影画像が撮影されると、その都度、表示制御部８０４が、構図画像Ｃ［１］〜Ｃ［Ｋ］の中から未選択の構図画像を選択することにしてもよい。これにより、カメラ１２０によって撮影画像が撮影される度に、ファインダ画面ＦＳに表示する構図画像Ｃ［ｋ］を順次変化させて、各々の構図画像Ｃ［ｋ］が表す構図の撮影画像を連続して撮影させることができる。
【００８９】
（ファインダ画面ＦＳの画面例）
つぎに、ファインダ画面ＦＳの画面例について説明する。以下に説明するファインダ画面ＦＳは、例えば、カメラ１２０が起動されると、ディスプレイ１１０に表示される。作業者Ｗは、撮影画像がファインダ画面ＦＳに表示される構図画像Ｃが表す構図となるように対象作物を撮影する。
【００９０】
＜画面例１＞
図９は、ファインダ画面ＦＳの画面例を示す説明図（その１）である。図９において、ファインダ画面ＦＳに作物情報９１０と撮影目的情報９２０と構図画像Ｃ１とが表示されている。ここで、作物情報９１０は、対象圃場の圃場名「圃場Ｘ」、対象作物の作物名「水稲」および生育ステージ「田植期」を表している。また、撮影目的情報９２０は、対象作物を撮影する撮影目的「条間確認」を表している。
【００９１】
また、構図画像Ｃ１は、対象作物の作物名「水稲」と生育ステージ「田植期」との組み合わせに対応する構図画像である。すなわち、構図画像Ｃ１は、田植期における水稲を撮影する際に、撮影者に対して推奨すべき撮影画像の構図を表している。具体的には、構図画像Ｃ１は、３本の平行な線分９３１〜９３３を表している。各線分９３１〜９３３は、苗が植えられた条（列）を表している。また、線分間の間隔は、条間を表している。
【００９２】
ファインダ画面ＦＳの作物情報９１０によれば、圃場Ｘで栽培されている田植期の水稲を撮影することを作業者Ｗに確認させることができ、対象作物とは異なる他の作物を撮影してしまうことを防ぐことができる。
【００９３】
また、ファインダ画面ＦＳの撮影目的情報９２０によれば、条間確認のために対象作物を撮影することを作業者Ｗに確認させることができ、構図画像Ｃ１が表す構図の意味を作業者Ｗに理解させて適切な撮影画像を撮影するように支援することができる。
【００９４】
また、ファインダ画面ＦＳの構図画像Ｃ１によれば、どのような構図で何を重視した撮影を行えばよいのかを作業者Ｗに判断させることができる。例えば、作業者Ｗは、苗がきちんと植えられて、条（列）に乱れがないかを確認できるように、実際に植えられている苗の条と各線分９３１〜９３３とが平行になるような構図で撮影すればよいことを判断することができる。
【００９５】
図９の例では、圃場Ｘに植えられている水稲の苗の条９４１〜９４３が写った撮影画像９４０が撮影されている。作業者Ｗは、ファインダ画面ＦＳ上において、被写体とすべき苗の条が各線分９３１〜９３３と重なるようにカメラ１２０の位置や向きを調整して撮影することで、このような撮影画像９４０を容易に撮影することができる。撮影画像９４０によれば、圃場Ｘに苗がきちんと植えられており、条９４１〜９４３に乱れがないことを確認することができる。
【００９６】
＜画面例２＞
図１０は、ファインダ画面ＦＳの画面例を示す説明図（その２）である。図１０において、ファインダ画面ＦＳに作物情報１０１０と撮影目的情報１０２０と構図画像Ｃ１３とが表示されている。ここで、作物情報１０１０は、対象圃場の圃場名「圃場Ｙ」、対象作物の作物名「キャベツ」および生育ステージ「定植期」を表している。また、撮影目的情報１０２０は、対象作物を撮影する撮影目的「病害虫確認」を表している。
【００９７】
また、構図画像Ｃ１３は、対象作物の作物名「キャベツ」と生育ステージ「定植期」との組み合わせに対応する構図画像である。また、作物名「キャベツ」と生育ステージ「定植期」に対応する構図画像としては、図５に示すように、撮影目的が「成長度確認」であるか「病害虫確認」であるかに応じて、異なる構図画像が存在する。ここでは撮影目的「病害虫確認」に対応して登録されている構図画像Ｃ１３を例示している。すなわち、構図画像Ｃ１３は、定植期におけるキャベツを病害虫確認の目的で撮影する際に、撮影者に対して推奨すべき撮影画像の構図を表している。具体的には、構図画像Ｃ１３は、キャベツの葉の形状を模した図形を表している。
【００９８】
ファインダ画面ＦＳの作物情報１０１０によれば、圃場Ｙで栽培されている定植期のキャベツを撮影することを作業者Ｗに確認させることができ、対象作物とは異なる他の作物を撮影してしまうことを防ぐことができる。
【００９９】
また、ファインダ画面ＦＳの撮影目的情報１０２０によれば、病害虫確認のために対象作物を撮影することを作業者Ｗに確認させることができ、構図画像Ｃ１３が表す構図の意味を作業者Ｗに理解させて適切な撮影画像を撮影するように支援することができる。
【０１００】
また、ファインダ画面ＦＳの構図画像Ｃ１３によれば、どのような構図で何を重視した撮影を行えばよいのかを作業者Ｗに判断させることができる。例えば、作業者Ｗは、キャベツの葉にアオムシなどの害虫が付いていないかを確認できるように、キャベツの葉全体が写るような構図で撮影すればよいことを判断することができる。
【０１０１】
図１０の例では、圃場Ｙに植えられているキャベツの葉１０３０が写った撮影画像１０４０が撮影されている。撮影画像１０４０によれば、圃場Ｙに植えられているキャベツの葉１０３０にアオムシ１０５０が付いていることを確認することができる。
【０１０２】
なお、キャベツの病害虫確認用の構図画像Ｃ１３として、例えば、ファインダ画面ＦＳを垂直方向に区切って２分割する線分を表示することで、左側に健康なキャベツを、右側に病気のキャベツを撮影させるような構図画像を用いることにしてもよい。これにより、同一圃場で栽培されている健康なキャベツと病気のキャベツとを比較し易い撮影画像を撮影することができる。
【０１０３】
＜画面例３＞
図１１は、ファインダ画面ＦＳの画面例を示す説明図（その３）である。図１１において、ファインダ画面ＦＳに作物情報１１１０と撮影目的情報１１２０と構図画像Ｃ３０とが表示されている。ここで、作物情報１１１０は、対象圃場の圃場名「圃場Ｚ」、対象作物の作物名「ミカン」および生育ステージ「収穫期」を表している。また、撮影目的情報１１２０は、対象作物を撮影する撮影目的「剪定確認」を表している。
【０１０４】
また、構図画像Ｃ３０は、対象作物の作物名「ミカン」と生育ステージ「収穫期」との組み合わせに対応する構図画像である。すなわち、構図画像Ｃ３０は、収穫期におけるミカンを撮影する際に、撮影者に対して推奨すべき撮影画像の構図を表している。具体的には、構図画像Ｃ３０は、剪定された枝の断面の形状を模した図形を表している。
【０１０５】
ファインダ画面ＦＳの作物情報１１１０によれば、圃場Ｚで栽培されている収穫期のミカンを撮影することを作業者Ｗに確認させることができ、対象作物とは異なる他の作物を撮影してしまうことを防ぐことができる。
【０１０６】
また、ファインダ画面ＦＳの撮影目的情報１１２０によれば、剪定確認のために対象作物を撮影することを作業者Ｗに確認させることができ、構図画像Ｃ３０が表す構図の意味を作業者Ｗに理解させて適切な撮影画像を撮影するように支援することができる。
【０１０７】
また、ファインダ画面ＦＳの構図画像Ｃ３０によれば、どのような構図で何を重視した撮影を行えばよいのかを作業者Ｗに判断させることができる。例えば、作業者Ｗは、剪定後のミカンの枝の断面を確認できるように、剪定後のミカンの枝の断面が中央に写るような構図で撮影すればよいことを判断することができる。
【０１０８】
図１１の例では、圃場Ｚに植えられているミカンの枝の断面１１３０が写った撮影画像１１４０が撮影されている。撮影画像１１４０によれば、圃場Ｚに植えられているミカンの枝の剪定後の状態を確認することができる。
【０１０９】
＜画面例４＞
つぎに、対象作物の作物名と生育ステージとの組み合わせに対応する構図画像が複数存在する場合のファインダ画面ＦＳの画面例について説明する。
【０１１０】
図１２は、ファインダ画面ＦＳの画面例を示す説明図（その４）である。図１２に示す（１２−１）において、ファインダ画面ＦＳに作物情報１２１０と撮影目的情報１２２０と構図画像Ｃ２とが表示されている。ここで、作物情報１２１０は、対象圃場の圃場名「圃場Ｇ」、対象作物の作物名「水稲」および生育ステージ「活着期」を表している。また、撮影目的情報１２２０は、対象作物を撮影する撮影目的「苗確認」を表している。
【０１１１】
また、構図画像Ｃ２は、対象作物の作物名「水稲」と生育ステージ「活着期」と撮影目的「苗確認」の組み合わせに対応する構図画像である。すなわち、構図画像Ｃ２は、活着期における水稲を苗確認の目的で撮影する際に、撮影者に対して推奨すべき撮影画像の構図を表している。具体的には、構図画像Ｃ２は、横長矩形の図形１２３０と縦長矩形の図形１２４０との組み合わせである。図形１２３０は、苗の根本を収めるための枠である。図形１２４０は、苗全体を収めるための枠である。
【０１１２】
ファインダ画面ＦＳの作物情報１２１０によれば、圃場Ｇで栽培されている活着期の水稲を撮影することを作業者Ｗに確認させることができ、対象作物とは異なる他の作物を撮影してしまうことを防ぐことができる。
【０１１３】
また、ファインダ画面ＦＳの撮影目的情報１２２０によれば、苗確認のために対象作物を撮影することを作業者Ｗに確認させることができ、構図画像Ｃ２が表す構図の意味を作業者Ｗに理解させて適切な撮影画像を撮影するように支援することができる。
【０１１４】
また、ファインダ画面ＦＳの構図画像Ｃ２によれば、どのような構図で何を重視した撮影を行えばよいのかを作業者Ｗに判断させることができる。例えば、作業者Ｗは、苗がしっかり活着しているか確認できるように、かつ、苗の葉の色が確認できるように、苗の根本と苗全体が写るような構図で撮影すればよいことを判断することができる。
【０１１５】
ここで、図５に示すように、対象作物の作物名「水稲」と生育ステージ「活着期」との組み合わせに対応する構図画像として、構図画像Ｃ２のほかに構図画像Ｃ３が存在する。ここで、図１２に示す構図画像Ｃ２が表示された（１２−１）のファインダ画面ＦＳにおいて、操作ボタン３０４のシャッターボタンであるボタンＢ２が押下されると、カメラ１２０によって撮影画像１２６０が撮影される。
【０１１６】
図１２に示す（１２−２）の例では、圃場Ｇに植えられている苗１２５０の根本１２５１を含む全体が写った撮影画像１２６０が撮影されている。撮影画像１２６０によれば、圃場Ｇに植えられている苗１２５０がしっかり活着しているか確認することができるとともに、苗１２５０の葉全体の色を確認することができる。
【０１１７】
カメラ１２０によって撮影画像１２６０が撮影されると、ファインダ画面ＦＳの表示内容が、図１２に示す構図画像Ｃ３が表示された（１２−３）のファインダ画面ＦＳに切り替わる。もしくは、図１２に示す（１２−１）のファインダ画面ＦＳにおいて、次の構図画像への表示切替を指示するボタンＢ３が押下されると、図１２に示す（１２−３）のファインダ画面ＦＳが表示される。
【０１１８】
図１２に示す（１２−３）において、ファインダ画面ＦＳに作物情報１２１０と撮影目的情報１２７０と構図画像Ｃ３とが表示されている。ここで、作物情報１２１０は、対象圃場の圃場名「圃場Ｇ」、対象作物の作物名「水稲」および生育ステージ「活着期」を表している。また、撮影目的情報１２７０は、対象作物を撮影する撮影目的「田圃状態確認」を表している。
【０１１９】
また、構図画像Ｃ３は、対象作物の作物名「水稲」と生育ステージ「活着期」と撮影目的「田圃状態確認」の組み合わせに対応する構図画像である。すなわち、構図画像Ｃ３は、活着期における水稲を撮影する際に、撮影者に対して推奨すべき撮影画像の構図を表している。具体的には、構図画像Ｃ３は、田んぼに発生する赤虫を収めるための枠を表している。
【０１２０】
ファインダ画面ＦＳの作物情報１２１０によれば、圃場Ｇで栽培されている活着期の水稲を撮影することを作業者Ｗに確認させることができ、対象作物とは異なる他の作物を撮影してしまうことを防ぐことができる。
【０１２１】
また、ファインダ画面ＦＳの撮影目的情報１２７０によれば、田圃状態確認のために対象作物を撮影することを作業者Ｗに確認させることができ、構図画像Ｃ３が表す構図の意味を作業者Ｗに理解させて適切な撮影画像を撮影するように支援することができる。
【０１２２】
また、ファインダ画面ＦＳの構図画像Ｃ３によれば、どのような構図で何を重視した撮影を行えばよいのかを作業者Ｗに判断させることができる。例えば、作業者Ｗは、田んぼに赤虫が発生していれば、赤虫が確認できるように、画面中央に赤虫が写るような構図で撮影すればよいことを判断することができる。
【０１２３】
また、図１２に示す（１２−３）のファインダ画面ＦＳにおいて、シャッターボタンであるボタンＢ２が押下されると、カメラ１２０によって撮影画像１２９０が撮影される。
【０１２４】
図１２に示す（１２−４）の例では、圃場Ｇに発生している赤虫１２８０が写った撮影画像１２９０が撮影されている。撮影画像１２９０によれば、圃場Ｇに赤虫１２８０が発生しており、圃場Ｇが健康な状態であることを確認することができる。
【０１２５】
なお、図１２に示す（１２−３）のファインダ画面ＦＳにおいて、一つ前に表示していた構図画像への表示切替を指示するボタンＢ１が押下されると、図１２に示す（１２−１）のファインダ画面ＦＳが表示される。
【０１２６】
（情報提供装置１０２の機能的構成例）
つぎに、実施の形態１にかかる情報提供装置１０２の機能的構成例について説明する。図１３は、実施の形態１にかかる情報提供装置１０２の機能的構成を示すブロック図である。図１３において、情報提供装置１０２は、受信部１３０１と、特定部１３０２と、抽出部１３０３と、送信部１３０４と、を含む構成である。受信部１３０１〜送信部１３０４）は、制御部となる機能であり、具体的には、例えば、図４に示したＲＯＭ４０２、ＲＡＭ４０３、磁気ディスク４０５、光ディスク４０７などの記憶装置に記憶されたプログラムをＣＰＵ４０１に実行させることにより、または、Ｉ／Ｆ４０９により、その機能を実現する。また、各機能部の処理結果は、例えば、ＲＡＭ４０３、磁気ディスク４０５、光ディスク４０７などの記憶装置に記憶される。
【０１２７】
受信部１３０１は、撮影装置１０１の装置情報を撮影装置１０１から受信する機能を有する。撮影装置１０１の装置情報は、上述したように、例えば、装置ＩＤ、作業者ＩＤ、圃場名、圃場ＩＤ、作物名、生育ステージおよび撮影装置１０１の位置情報のうちの少なくともいずれかを含むものである。
【０１２８】
特定部１３０２は、受信された撮影装置１０１の装置情報に基づいて、圃場Ｆ１〜Ｆｎの中から撮影装置１０１の撮影対象となる圃場Ｆｉを特定する機能を有する。ここで、撮影装置１０１の装置情報に圃場ＩＤが含まれている場合を想定する。この場合、特定部１３０２が、例えば、圃場Ｆ１〜Ｆｎの中から、撮影装置１０１の装置情報に含まれている圃場ＩＤに対応する圃場Ｆｉを特定する。
【０１２９】
また、撮影装置１０１の装置情報に撮影装置１０１の位置情報が含まれている場合を想定する。この場合、特定部１３０２が、例えば、撮影装置１０１の位置情報と、図６に例示する圃場ＤＢ２２０内の圃場情報６００−１〜６００−ｎの圃場位置Ｌ１〜Ｌｎとに基づいて、圃場Ｆ１〜Ｆｎの中から圃場Ｆｉを特定する。
【０１３０】
より具体的には、例えば、圃場情報６００−１〜６００−ｎの圃場位置が、圃場Ｆ１〜Ｆｎの重心位置である場合を想定する。この場合、特定部１３０２が、例えば、圃場Ｆ１〜Ｆｎの中から撮影装置１０１の最近傍に位置する圃場Ｆｉを特定することにしてもよい。また、各圃場情報６００−１〜６００−ｎの圃場位置が、各圃場Ｆ１〜Ｆｎのエリアを特定する情報である場合を想定する。この場合、特定部１３０２が、例えば、圃場Ｆ１〜Ｆｎの中から撮影装置１０１の位置情報を含む圃場Ｆｉを特定することにしてもよい。なお、撮影装置１０１の位置情報を含む圃場が特定されなかった場合は、特定部１３０２が、圃場Ｆ１〜Ｆｎの中から撮影装置１０１の最近傍に位置する圃場Ｆｉを特定することにしてもよい。
【０１３１】
抽出部１３０３は、構図ＤＢ１３０の中から、特定された圃場Ｆｉで栽培されている作物を撮影する際の撮影画像の構図を表す構図画像を抽出する機能を有する。具体的には、例えば、まず、抽出部１３０３が、圃場ＤＢ２２０の中から、特定された圃場Ｆｉの圃場情報６００−ｉを抽出する。
【０１３２】
つぎに、抽出部１３０３が、抽出した圃場情報６００−ｉを参照して、圃場Ｆｉで栽培されている作物名と生育ステージとの組み合わせを特定する。そして、抽出部１３０３が、構図ＤＢ１３０の中から、特定した作物名と生育ステージとの組み合わせに対応する構図情報を抽出する。
【０１３３】
例えば、作物名と生育ステージとの組み合わせを「水稲／田植期」とすると、抽出部１３０３が、構図ＤＢ１３０の中から構図情報５００−１を抽出する。また、作物名と生育ステージとの組み合わせを「水稲／活着期」とすると、抽出部１３０３が、構図ＤＢ１３０の中から構図情報５００−２，５００−３を抽出する。
【０１３４】
これにより、撮影装置１０１の撮影対象となる対象圃場で栽培されている作物を撮影する際の撮影画像の構図を表す構図画像Ｃを含む構図情報を抽出することができる。また、作物名と生育ステージとの組み合わせに対応する構図情報を抽出することにより、作物の生育ステージに応じた構図画像Ｃを特定することができる。
【０１３５】
また、撮影装置１０１の装置情報には、対象作物の作物名、生育ステージや対象作物を撮影する撮影目的などを表す情報が含まれている場合がある。この場合、特定部１３０２が、構図ＤＢ１３０の中から、撮影装置１０１の装置情報に含まれている作物名と生育ステージと撮影目的との組み合わせに対応する構図情報を抽出することにしてもよい。
【０１３６】
送信部１３０４は、抽出された構図情報を、装置情報の送信元の撮影装置１０１に送信する機能を有する。この際、送信部１３０４が、例えば、抽出された構図情報に、撮影対象となる圃場Ｆｉの圃場ＩＤや圃場名を付加して撮影装置１０１に送信することにしてもよい。
【０１３７】
これにより、撮影対象となる対象圃場で栽培されている作物を撮影する際の撮影画像の構図を表す構図画像Ｃを含む構図情報を撮影装置１０１に提供することができる。
【０１３８】
また、受信部１３０１は、撮影装置１０１によって撮影された撮影画像を含む撮影情報を撮影装置１０１から受信する機能を有する。ここで、撮影情報は、上述したように、例えば、撮影画像と、撮影日時と、作業者ＩＤと、圃場ＩＤと、圃場名とを関連付けて表す情報である。受信された撮影情報は、例えば、図７に示した撮影画像ＤＢ２３０に記録される。
【０１３９】
また、特定部１３０２は、撮影対象となる圃場Ｆｉで行われる農作業の作業予定を示す作業予定情報に基づいて、圃場Ｆｉで栽培されている作物を撮影する撮影目的を特定することにしてもよい。ここで、作業予定情報の具体例について説明する。
【０１４０】
図１４は、作業予定情報の具体例を示す説明図である。図１４において、作業予定情報１４００は、圃場ＩＤ、作業日、作業時間、作業内容および作業者のフィールドを有する。各フィールドの情報を設定することで、作業情報（例えば、作業情報１４００−１，１４００−２）がレコードとして記憶されている。
【０１４１】
圃場ＩＤは、圃場Ｆｉを一意に識別する識別子である。作業日は、圃場Ｆｉで農作業が行われる作業予定日（年月日）である。作業時間は、圃場Ｆｉで行われる農作業の開始予定時刻から終了予定時刻までの時間である。作業内容は、圃場Ｆｉで行われる農作業の内容である。作業内容としては、例えば、条間確認、活着確認、田圃状態確認、成長度確認、病害虫確認などがある。すなわち、作業内容は、圃場Ｆｉで栽培されている作物を撮影する撮影目的に対応している。作業者は、圃場Ｆｉで行われる農作業の作業者を一意に識別する識別子、すなわち作業者ＩＤである。
【０１４２】
ここで、撮影対象となる圃場Ｆｉを「圃場Ｆ７」とし、撮影装置１０１を使用する作業者Ｗを「作業者Ｂ」とする。作業者Ｗは、例えば、撮影装置１０１の装置情報に含まれている作業者ＩＤから特定される。この場合、特定部１３０２が、作業予定情報１４００の中から、作業者Ｂに対応する作業情報１４００−２を抽出する。そして、特定部１３０２が、作業情報１４００−２から特定される作業内容「病害虫確認」を、圃場Ｆ７で栽培されている作物を撮影する撮影目的として特定する。
【０１４３】
なお、上述した説明では、作業予定情報１４００の中から作業者ＩＤに対応する作業情報を抽出することにしたが、例えば、特定部１３０２が、撮影装置１０１の装置情報の受信時刻を含む作業時間に対応する作業情報を抽出することにしてもよい。
【０１４４】
図１３の説明に戻り、抽出部１３０３は、特定された撮影目的に基づいて、構図ＤＢ１３０の中から、圃場Ｆｉで栽培されている作物を撮影する際の撮影画像の構図を表す構図画像を抽出することにしてもよい。具体的には、例えば、まず、抽出部１３０３が、圃場ＤＢ２２０の中から、特定された圃場Ｆｉの圃場情報６００−ｉを抽出する。
【０１４５】
つぎに、抽出部１３０３が、抽出した圃場情報６００−ｉを参照して、圃場Ｆｉで栽培されている作物名と生育ステージとの組み合わせを特定する。そして、抽出部１３０３が、構図ＤＢ１３０の中から、特定した作物名と生育ステージと、特定部１３０２によって特定された撮影目的との組み合わせに対応する構図情報を抽出する。
【０１４６】
例えば、作物名と生育ステージと撮影目的との組み合わせを「キャベツ／定植期／成長度確認」とすると、抽出部１３０３が、構図ＤＢ１３０の中から構図情報５００−１２を抽出する。また、作物名と生育ステージと撮影目的との組み合わせを「キャベツ／定植期／病害虫確認」とすると、抽出部１３０３が、構図ＤＢ１３０の中から構図情報５００−１３を抽出する。
【０１４７】
これにより、作物名と生育ステージと撮影目的との組み合わせに対応する構図情報を抽出することにより、作物の生育ステージおよび撮影目的に応じた構図画像Ｃを特定することができる。
【０１４８】
なお、上記特定部１３０２は、例えば、作業予定情報１４００のような、各圃場Ｆ１〜Ｆｎで行われる農作業の作業予定を示す作業予定情報に基づいて、圃場Ｆ１〜Ｆｎの中から撮影装置１０１の撮影対象となる圃場Ｆｉを特定することにしてもよい。具体的には、例えば、特定部１３０２が、各圃場Ｆ１〜Ｆｎで行われる農作業の作業予定を示す作業予定情報の中から、撮影装置１０１の装置情報に含まれる作業者ＩＤが作業者フィールドに設定されている作業予定情報を特定する。
【０１４９】
つぎに、特定部１３０２が、特定した作業予定情報の中から、撮影装置１０１の装置情報の受信時刻が、作業時間フィールドに設定されている作業時間に含まれる作業情報を特定する。そして、特定部１３０２が、特定した作業情報の圃場ＩＤフィールドに設定されている圃場ＩＤに対応する圃場を、撮影装置１０１の撮影対象となる圃場Ｆｉとして特定する。
【０１５０】
（見回り結果一覧画面１５００）
つぎに、クライアント装置２０１のディスプレイ４０８に表示される見回り結果一覧画面１５００の画面例について説明する。見回り結果一覧画面１５００は、例えば、クライアント装置２０１からの閲覧要求に対して、情報提供装置１０２からクライアント装置２０１に提供、すなわち出力される情報である。
【０１５１】
閲覧要求には、例えば、撮影日時、圃場ＩＤ、圃場名、作業者ＩＤ、作物名、生育ステージ、撮影目的などの閲覧対象となる撮影画像を特定する情報が１または複数含まれている。情報提供装置１０２は、例えば、撮影画像ＤＢ２３０の中から閲覧対象となる撮影画像を抽出して見回り結果一覧画面１５００を作成し、クライアント装置２０１へ向けて出力する。
【０１５２】
図１５は、見回り結果一覧画面１５００の画面例を示す説明図である。図１５において、見回り結果一覧画面１５００には、表示データＨ１〜Ｈ３が表示されている。
【０１５３】
表示データＨ１は、撮影画像１５１０の表示データである。表示データＨ１には、撮影画像１５１０の撮影日時「２０１１／７／７  １４：０１」、対象圃場の圃場名「圃場Ｇ」、対象作物の作物名「水稲」、生育ステージ「活着期」が示されている。また、表示データＨ１には、撮影画像１５１０の撮影目的「苗確認」および撮影者「作業者Ａ」が示されている。
【０１５４】
表示データＨ１によれば、例えば、農場の経営者である確認者は、圃場Ｇで栽培されている苗１５１１がしっかり活着していることを確認することができ、また、苗１５１１の全体の葉の色を確認することができる。
【０１５５】
また、表示データＨ２は、撮影画像１５２０の表示データである。表示データＨ２には、撮影画像１５２０の撮影日時「２０１１／７／７  １４：２８」、対象圃場の圃場名「圃場Ｈ」、対象作物の作物名「水稲」、生育ステージ「活着期」が示されている。また、表示データＨ２には、撮影画像１５２０の撮影目的「苗確認」および撮影者「作業者Ｂ」が示されている。
【０１５６】
表示データＨ２によれば、例えば、農場の経営者である確認者は、圃場Ｈで栽培されている苗１５２１がしっかりとは活着していないことを確認することができ、また、苗１５２１の全体の葉の色を確認することができる。
【０１５７】
また、表示データＨ３は、撮影画像１５３０の表示データである。表示データＨ３には、撮影画像１５３０の撮影日時「２０１１／７／８  １３：１５」、対象圃場の圃場名「圃場Ｊ」、対象作物の作物名「水稲」、生育ステージ「活着期」が示されている。また、表示データＨ３には、撮影画像１５３０の撮影目的「苗確認」および撮影者「作業者Ｃ」が示されている。
【０１５８】
表示データＨ３によれば、例えば、農場の経営者である確認者は、圃場Ｊで栽培されている苗１５３１がしっかり活着していることを確認することができ、また、苗１５３１の全体の葉の色を確認することができる。
【０１５９】
同一作物名、同一生育ステージの対象作物の撮影画像１５１０，１５２０，１５３０は、それぞれが同じ構図で撮影されている。このため、そのような画像が一覧表示される見回り結果一覧画面１５００によれば、確認すべき撮影画像上の箇所を確認者が判断したり比較したりし易くなり、苗の活着度合いや葉の色を確認する際の作業効率を向上させることができる。また、同じ構図で撮影された撮影画像は、同一作物名、同一生育ステージの対象作物の撮影画像を画像処理して何らかの解析を行う際にも利用価値が高い情報となる。なお、見回り結果一覧画面１５００は、情報提供装置１０２のディスプレイ４０８に表示することにしてもよい。
【０１６０】
（撮影装置１０１の撮影支援処理手順）
つぎに、実施の形態１にかかる撮影装置１０１の撮影支援処理手順について説明する。図１６は、実施の形態１にかかる撮影装置１０１の撮影支援処理手順の一例を示すフローチャート（その１）である。図１６のフローチャートにおいて、まず、撮影装置１０１により、カメラ１２０が起動されたか否かを判断する（ステップＳ１６０１）。
【０１６１】
ここで、撮影装置１０１により、カメラ１２０が起動されるのを待って（ステップＳ１６０１：Ｎｏ）、カメラ１２０が起動された場合（ステップＳ１６０１：Ｙｅｓ）、取得部８０１により、自装置の装置情報を取得する（ステップＳ１６０２）。つぎに、送信部８０２により、取得された自装置の装置情報を情報提供装置１０２に送信する（ステップＳ１６０３）。
【０１６２】
そして、受信部８０３により、撮影対象となる対象作物を撮影する際の撮影画像の構図を表す構図画像Ｃを含む構図情報を情報提供装置１０２から受信したか否かを判断する（ステップＳ１６０４）。ここで、受信部８０３により、構図情報を受信するのを待つ（ステップＳ１６０４：Ｎｏ）。
【０１６３】
構図情報が受信された場合（ステップＳ１６０４：Ｙｅｓ）、表示制御部８０４により、カメラ１２０のファインダ画面ＦＳに被写体とともに構図画像Ｃ、作物情報および撮影目的情報を表示する（ステップＳ１６０５）。そして、撮影装置１０１により、カメラ１２０によって撮影画像が撮影されたか否かを判断する（ステップＳ１６０６）。
【０１６４】
ここで、撮影装置１０１により、撮影画像が撮影されるのを待つ（ステップＳ１６０６：Ｎｏ）。そして、撮影画像が撮影された場合（ステップＳ１６０６：Ｙｅｓ）、出力部８０５により、撮影された撮影画像を撮影画像ＤＢ２１０に記録して（ステップＳ１６０７）、本フローチャートによる一連の処理を終了する。
【０１６５】
これにより、対象作物の撮影時に、対象作物の作物名と生育ステージとの組み合わせに対応する構図画像Ｃが表す構図の撮影画像が撮影されるように撮影者を支援することができる。
【０１６６】
つぎに、対象作物の作物名と生育ステージとの組み合わせに対応する構図画像が複数存在する場合を想定した撮影装置１０１の撮影支援処理手順について説明する。
【０１６７】
図１７は、実施の形態１にかかる撮影装置１０１の撮影支援処理手順の一例を示すフローチャート（その２）である。図１７のフローチャートにおいて、まず、撮影装置１０１により、カメラ１２０が起動されたか否かを判断する（ステップＳ１７０１）。
【０１６８】
ここで、撮影装置１０１により、カメラ１２０が起動されるのを待って（ステップＳ１７０１：Ｎｏ）、カメラ１２０が起動された場合（ステップＳ１７０１：Ｙｅｓ）、取得部８０１により、自装置の装置情報を取得する（ステップＳ１７０２）。つぎに、送信部８０２により、取得された自装置の装置情報を情報提供装置１０２に送信する（ステップＳ１７０３）。
【０１６９】
そして、受信部８０３により、撮影対象となる対象作物を撮影する際の撮影画像の構図を表す構図画像Ｃを含む構図情報を情報提供装置１０２から受信したか否かを判断する（ステップＳ１７０４）。ここで、受信部８０３により、構図情報を受信するのを待つ（ステップＳ１７０４：Ｎｏ）。
【０１７０】
構図情報が受信された場合（ステップＳ１７０４：Ｙｅｓ）、表示制御部８０４により、構図画像Ｃ［ｋ］の「ｋ」を「ｋ＝１」とし（ステップＳ１７０５）、構図画像Ｃ［１］〜Ｃ［Ｋ］の中から構図画像Ｃ［ｋ］を選択する（ステップＳ１７０６）。
【０１７１】
つぎに、表示制御部８０４により、カメラ１２０のファインダ画面ＦＳに被写体とともに構図画像Ｃ［ｋ］、作物情報および構図画像Ｃ［ｋ］に対応する撮影目的情報を表示する（ステップＳ１７０７）。そして、撮影装置１０１により、カメラ１２０によって撮影画像が撮影されたか否かを判断する（ステップＳ１７０８）。
【０１７２】
ここで、撮影装置１０１により、撮影画像が撮影されるのを待つ（ステップＳ１７０８：Ｎｏ）。そして、撮影画像が撮影された場合（ステップＳ１７０８：Ｙｅｓ）、出力部８０５により、撮影された撮影画像を撮影画像ＤＢ２１０に記録する（ステップＳ１７０９）。
【０１７３】
つぎに、表示制御部８０４により、構図画像Ｃ［ｋ］の「ｋ」をインクリメントして（ステップＳ１７１０）、「ｋ」が「Ｋ」より大きくなったか否かを判断する（ステップＳ１７１１）。ここで、「ｋ」が「Ｋ」以下の場合（ステップＳ１７１１：Ｎｏ）、ステップＳ１７０６に戻る。一方、「ｋ」が「Ｋ」より大きくなった場合（ステップＳ１７１１：Ｙｅｓ）、本フローチャートによる一連の処理を終了する。
【０１７４】
これにより、カメラ１２０によって撮影画像が撮影される度に、ファインダ画面ＦＳに表示する構図画像Ｃ［ｋ］を順次変化させて、対象作物の作物名と生育ステージとの組み合わせに対応する各々の構図画像Ｃ［ｋ］が表す構図の撮影画像を連続して撮影させることができる。
【０１７５】
（情報提供装置１０２の情報提供処理手順）
つぎに、実施の形態１にかかる情報提供装置１０２の情報提供処理手順について説明する。図１８は、実施の形態１にかかる情報提供装置１０２の情報提供処理手順の一例を示すフローチャートである。図１８のフローチャートにおいて、まず、受信部１３０１により、撮影装置１０１の装置情報を撮影装置１０１から受信したか否かを判断する（ステップＳ１８０１）。
【０１７６】
ここで、受信部１３０１により、撮影装置１０１の装置情報を受信するのを待つ（ステップＳ１８０１：Ｎｏ）。撮影装置１０１の装置情報が受信された場合（ステップＳ１８０１：Ｙｅｓ）、抽出部１３０３により、構図ＤＢ１３０の中から構図情報を抽出する構図情報抽出処理を実行する（ステップＳ１８０２）。
【０１７７】
そして、抽出された構図情報を、送信部１３０４により撮影装置１０１に送信して（ステップＳ１８０３）、本フローチャートによる一連の処理を終了する。これにより、撮影対象となる圃場Ｆｉで栽培されている作物の作物名と生育ステージとの組み合わせに対応する構図画像Ｃを含む構図情報を撮影装置１０１に提供することができる。
【０１７８】
つぎに、図１８に示したステップＳ１８０２の構図情報抽出処理の具体的な処理手順について説明する。
【０１７９】
図１９は、構図情報抽出処理の具体的処理手順の一例を示すフローチャートである。図１９のフローチャートにおいて、まず、特定部１３０２により、撮影装置１０１の装置情報に基づいて、圃場Ｆ１〜Ｆｎの中から撮影装置１０１の撮影対象となる圃場Ｆｉを特定する（ステップＳ１９０１）。
【０１８０】
つぎに、抽出部１３０３により、圃場ＤＢ２２０の中から、特定された圃場Ｆｉの圃場情報６００−ｉを抽出する（ステップＳ１９０２）。そして、抽出部１３０３により、抽出した圃場情報６００−ｉから、圃場Ｆｉで栽培されている作物の作物名と生育ステージとの組み合わせを特定する（ステップＳ１９０３）。
【０１８１】
つぎに、抽出部１３０３により、構図ＤＢ１３０の中から、特定した作物名と生育ステージとの組み合わせに対応する構図画像Ｃを含む構図情報を抽出して（ステップＳ１９０４）、図１８に示したステップＳ１８０３に移行する。これにより、撮影対象となる圃場Ｆｉで栽培されている作物の作物名と生育ステージとの組み合わせに対応する構図画像Ｃを含む構図情報を抽出することができる。
【０１８２】
以上説明したように、実施の形態１にかかる撮影装置１０１によれば、対象作物の撮影時に、カメラ１２０のファインダ画面ＦＳに、対象作物の作物名と生育ステージとの組み合わせに対応する構図画像Ｃを、被写体に関する画像と重畳して表示することができる。これにより、作物名と生育ステージとの組み合わせごとに着目すべき箇所が異なる作物の撮影時において、どのような構図で何を重視した撮影を行えばよいのかの作業者Ｗの判断を容易にして、作物の生育状況を把握し易い撮影画像を収集することができる。
【０１８３】
また、実施の形態１にかかる撮影装置１０１によれば、カメラ１２０のファインダ画面ＦＳに、対象作物を特定する作物情報（例えば、対象圃場の圃場ＩＤ、圃場名や対象作物の作物名、生育ステージ）を表示することができる。これにより、対象作物の撮影時に、どの圃場で栽培されている何の作物を撮影すればよいのかを作業者Ｗに確認させることができ、対象作物とは異なる他の作物を撮影してしまうことを防ぐことができる。
【０１８４】
また、実施の形態１にかかる撮影装置１０１によれば、カメラ１２０のファインダ画面ＦＳに、対象作物を撮影する撮影目的を表す撮影目的情報を表示することができる。これにより、対象作物の撮影時に、対象作物を何のために撮影するのかを作業者Ｗに確認させることができ、構図画像Ｃが表す構図の意味を作業者Ｗに理解させて適切な撮影画像を撮影するように支援することができる。
【０１８５】
また、実施の形態１にかかる情報提供装置１０２によれば、例えば、装置ＩＤ、作業者ＩＤ、位置情報、圃場ＩＤ、作物名、生育ステージ、撮影目的などの撮影装置１０１の装置情報のうちの１または複数に基づいて、圃場Ｆ１〜Ｆｎの中から撮影対象となる圃場Ｆｉを特定することができる。
【０１８６】
また、実施の形態１にかかる情報提供装置１０２によれば、撮影対象となる圃場Ｆｉで栽培されている作物の作物名と生育ステージとの組み合わせに対応する構図情報を構図ＤＢ１３０の中から抽出して撮影装置１０１に提供することができる。これにより、撮影装置１０１において、対象作物の作物名と生育ステージとの組み合わせに対応する構図画像Ｃを特定することができる。
【０１８７】
また、実施の形態１にかかる情報提供装置１０２によれば、撮影対象となる圃場Ｆｉで栽培されている作物の作物名と生育ステージと撮影目的との組み合わせに対応する構図情報を構図ＤＢ１３０の中から抽出して撮影装置１０１に提供することができる。これにより、撮影装置１０１において、対象作物の作物名と生育ステージと撮影目的との組み合わせに対応する構図画像Ｃを特定することができる。
【０１８８】
（実施の形態２）
つぎに、実施の形態２にかかる撮影装置１０１について説明する。実施の形態１では、撮影装置１０１と情報提供装置１０２とが連動する場合について説明したが、実施の形態２では、撮影装置１０１が単独で動作する場合について説明する。なお、実施の形態１で説明した箇所と同一箇所については、同一符号を付して説明を省略する。
【０１８９】
（撮影装置１０１の機能的構成例）
図２０は、実施の形態２にかかる撮影装置１０１の機能的構成を示すブロック図である。図２０において、撮影装置１０１は、取得部８０１と、表示制御部８０４と、出力部８０５と、特定部２００１と、抽出部２００２と、を含む構成である。取得部８０１、表示制御部８０４、出力部８０５、特定部２００１、抽出部２００２は制御部となる機能であり、具体的には、例えば、図３に示したメモリ３０２に記憶されたプログラムをＣＰＵ３０１に実行させることにより、または、Ｉ／Ｆ３０３により、その機能を実現する。各機能部の処理結果は、例えば、メモリ３０２に記憶される。また、撮影装置１０１は、図５〜図７に示した各種ＤＢ１３０，２２０，２３０を有している。
【０１９０】
特定部２００１は、取得部８０１によって取得された自装置の装置情報に基づいて、圃場Ｆ１〜Ｆｎの中から撮影装置１０１の撮影対象となる圃場Ｆｉを特定する機能を有する。特定部２００１の具体的な処理内容は、図１３に示した情報提供装置１０２の特定部１３０２と同様のため、ここでは詳細な説明を省略する。
【０１９１】
抽出部２００２は、構図ＤＢ１３０の中から、特定された圃場Ｆｉで栽培されている作物を撮影する際の撮影画像の構図を表す構図画像Ｃを抽出する機能を有する。抽出部２００２の具体的な処理内容は、図１３に示した情報提供装置１０２の抽出部１３０３と同様のため、ここでは詳細な説明を省略する。
【０１９２】
表示制御部８０４は、撮影対象となる対象作物を撮影する際の撮影画像の構図を表す構図画像Ｃをディスプレイ１１０に表示する。ここで、構図画像Ｃは、抽出部２００２によって構図ＤＢ１３０の中から抽出された構図画像である。表示制御部８０４の具体的な処理内容は、実施の形態１で説明した処理内容と同様のため、ここでは詳細な説明を省略する。
【０１９３】
（撮影装置１０１の撮影支援処理手順）
つぎに、実施の形態２にかかる撮影装置１０１の撮影支援処理手順について説明する。図２１は、実施の形態２にかかる撮影装置１０１の撮影支援処理手順の一例を示すフローチャートである。図２１のフローチャートにおいて、まず、撮影装置１０１により、カメラ１２０が起動されたか否かを判断する（ステップＳ２１０１）。
【０１９４】
ここで、撮影装置１０１により、カメラ１２０が起動されるのを待って（ステップＳ２１０１：Ｎｏ）、カメラ１２０が起動された場合（ステップＳ２１０１：Ｙｅｓ）、取得部８０１により、自装置の装置情報を取得する（ステップＳ２１０２）。つぎに、抽出部２００２により、構図ＤＢ１３０の中から構図情報を抽出する構図情報抽出処理を実行する（ステップＳ２１０３）。
【０１９５】
そして、表示制御部８０４により、カメラ１２０のファインダ画面ＦＳに被写体とともに構図画像Ｃ、作物情報および撮影目的情報を表示する（ステップＳ２１０４）。つぎに、撮影装置１０１により、カメラ１２０によって撮影画像が撮影されたか否かを判断する（ステップＳ２１０５）。
【０１９６】
ここで、撮影装置１０１により、撮影画像が撮影されるのを待つ（ステップＳ２１０５：Ｎｏ）。そして、撮影画像が撮影された場合（ステップＳ２１０５：Ｙｅｓ）、出力部８０５により、撮影された撮影画像を撮影画像ＤＢ２１０に記録して（ステップＳ２１０６）、本フローチャートによる一連の処理を終了する。
【０１９７】
これにより、対象作物の撮影時に、対象作物の作物名と生育ステージとの組み合わせに対応する構図画像Ｃが表す構図の撮影画像が撮影されるように撮影者を支援することができる。なお、図２１に示したステップＳ２１０３の構図情報抽出処理の具体的な処理手順は、図１９に示した構図情報抽出処理の具体的な処理手順と同様のため説明を省略する。
【０１９８】
なお、実施の形態２の場合、見回り結果一覧画面１５００は、撮影装置１０１のディスプレイ１１０に表示することにしてもよい。もしくは、撮影画像ＤＢ２１０に記録した情報を、無線または有線の通信、もしくは可搬可能な記憶媒体を解して情報提供装置１０２に複製し、情報提供装置１０２のディスプレイ４０８に表示することにしてもよい。
【０１９９】
以上説明したように、実施の形態２にかかる撮影装置１０１によれば、自装置の装置情報に基づいて、圃場Ｆ１〜Ｆｎの中から撮影対象となる圃場Ｆｉを特定することができる。また、撮影装置１０１によれば、撮影対象となる圃場Ｆｉで栽培されている作物の作物名と生育ステージとの組み合わせに対応する構図情報を取得することができる。
【０２００】
なお、本実施の形態で説明した撮影支援方法は、予め用意されたプログラムをパーソナル・コンピュータやワークステーション等のコンピュータで実行することにより実現することができる。本撮影支援プログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。また、本撮影支援プログラムは、インターネット等のネットワークを介して配布してもよい。
【０２０１】
上述した実施の形態に関し、さらに以下の付記を開示する。
【０２０２】
（付記１）表示部と、
作物を撮影する際の撮影画像の構図を示す情報を前記作物に対して複数記憶する記憶部の中から、圃場に関する情報に基づいて決定された該構図を示す情報を取得する取得部と、
前記取得部によって取得された前記構図を示す情報を前記表示部に表示する表示制御部と、
を有することを特徴とする撮影装置。
【０２０３】
（付記２）前記記憶部は、前記構図を示す情報を、前記作物の種別と前記作物の生育段階との組み合わせごとに記憶しており、
前記取得部は、
前記記憶部の中から、対象作物の種別と前記対象作物の生育段階との組み合わせに対応する構図を示す情報を取得することを特徴とする付記１に記載の撮影装置。
【０２０４】
（付記３）前記表示制御部は、
さらに、前記対象作物の種別と前記対象作物の生育段階とを特定する情報を前記表示部に表示することを特徴とする付記２に記載の撮影装置。
【０２０５】
（付記４）前記記憶部は、前記構図を示す情報を、前記作物の種別と前記作物の生育段階と前記作物を撮影する撮影対象との組み合わせごとに記憶しており、
前記取得部は、
前記記憶部の中から、前記対象作物の種別と前記対象作物の生育段階と前記対象作物を撮影する撮影対象との組み合わせに対応する構図を示す情報を取得することを特徴とする付記１〜３のいずれか一つに記載の撮影装置。
【０２０６】
（付記５）前記表示制御部は、
さらに、前記対象作物を撮影する撮影対象を特定する情報を前記表示部に表示することを特徴とする付記４に記載の撮影装置。
【０２０７】
（付記６）圃場群の中から撮影対象となる対象圃場を特定する特定部と、
前記圃場群の各々の圃場で栽培されている作物の種別を特定する作物情報を記憶する作物情報記憶部の中から、前記特定部によって特定された前記対象圃場で栽培されている作物の種別を特定する作物情報を抽出する抽出部と、を有し、
前記取得部は、
前記記憶部の中から、前記抽出部によって抽出された前記作物情報から特定される作物の種別に対応する構図を示す情報を取得することを特徴とする付記１〜５のいずれか一つに記載の撮影装置。
【０２０８】
（付記７）前記記憶部は、前記構図を示す情報を、前記作物の種別と前記作物の生育段階との組み合わせごとに記憶しており、
前記作物情報記憶部は、前記圃場群の各々の圃場で栽培されている作物の種別と前記作物の生育段階とを特定する作物情報を記憶しており、
前記取得部は、
前記記憶部の中から、前記抽出部によって抽出された前記作物情報から特定される作物の種別と前記作物の生育段階との組み合わせに対応する構図を示す情報を取得することを特徴とする付記６に記載の撮影装置。
【０２０９】
（付記８）前記記憶部および前記作物情報記憶部は、前記撮影装置が有する記憶部であることを特徴とする付記１に記載の撮影装置。
【０２１０】
（付記９）自装置を識別する装置情報を、前記記憶部を有する情報提供装置に送信する送信部を有し、
前記取得部は、
前記送信部によって前記装置情報が送信された結果、前記記憶部に記憶されている構図を示す情報群のうち、前記装置情報から特定される圃場で栽培されている作物の種別に対応する構図を示す情報を前記情報提供装置から取得することを特徴とする付記１〜７のいずれか一つに記載の撮影装置。
【０２１１】
（付記１０）前記記憶部は、前記構図を示す情報を、前記作物の種別と前記作物の生育段階との組み合わせごとに記憶しており、
前記取得部は、
前記送信部によって前記装置情報が送信された結果、前記記憶部に記憶されている構図を示す情報群のうち、前記装置情報から特定される圃場で栽培されている作物の種別と前記作物の生育段階との組み合わせに対応する構図を示す情報を前記情報提供装置から取得することを特徴とする付記９に記載の撮影装置。
【０２１２】
（付記１１）前記自装置の位置情報を取得する位置情報取得部を有し、
前記送信部は、
前記位置情報取得部によって取得された前記自装置の位置情報を含む前記装置情報を前記情報提供装置に送信し、
前記取得部は、
前記送信部によって前記装置情報が送信された結果、前記記憶部に記憶されている構図を示す情報群のうち、前記自装置の位置情報から特定される圃場で栽培されている作物の種別に対応する構図を示す情報を前記情報提供装置から取得することを特徴とする付記９または１０に記載の撮影装置。
【０２１３】
（付記１２）前記表示部は、前記撮影装置が有する撮影部により撮影される被写体を表示する表示部であり、
前記表示制御部は、前記構図を示す情報を、前記被写体とともに前記表示部に表示することを特徴とする付記１〜１１のいずれか一つに記載の撮影装置。
【０２１４】
（付記１３）コンピュータに、
作物を撮影する際の撮影画像の構図を示す情報を前記作物に対して複数記憶する記憶部の中から、圃場に関する情報に基づいて決定された該構図を示す情報を取得し、
表示部を制御して、取得した前記構図を示す情報を表示する、
処理を実行させることを特徴とする撮影支援プログラム。
【０２１５】
（付記１４）コンピュータにより実行される方法であって、該コンピュータが、
撮影対象とする圃場を特定可能な情報を、前記コンピュータと通信可能に接続された撮影装置から受信し、
作物を撮影する際の撮影画像の構図を示す情報を前記作物に対して複数記憶する記憶部の中から、受信した前記情報に基づいて特定された圃場に基づいて、該構図を示す情報を抽出し、
抽出した前記構図を示す情報を前記撮影装置に送信する、
処理を実行することを特徴とする情報提供方法。
【０２１６】
（付記１５）前記撮影装置から受信された前記情報は前記撮影装置を識別する装置情報であって、
前記コンピュータが、該装置情報に基づいて、圃場群の中から前記撮影装置の撮影対象となる対象圃場を特定し、
前記圃場群の各々の圃場で栽培されている作物の種別を特定する作物情報を記憶する作物情報記憶部の中から、特定した前記対象圃場で栽培されている作物の種別を特定する作物情報を抽出する、処理を実行し、
前記構図を示す情報を抽出する処理は、
前記記憶部の中から、抽出した前記作物情報から特定される作物の種別に対応する構図を示す情報を抽出することを特徴とする付記１４に記載の情報提供方法。
【０２１７】
（付記１６）前記記憶部は、前記作物を撮影する際の撮影画像の構図を示す情報を、前記作物の種別と前記作物の生育段階との組み合わせごとに記憶しており、
前記作物情報記憶部は、前記圃場群の各々の圃場で栽培されている作物の種別と前記作物の生育段階とを特定する作物情報を記憶しており、
前記構図を示す情報を抽出する処理は、
前記記憶部の中から、抽出した前記作物情報から特定される作物の種別と前記作物の生育段階との組み合わせに対応する構図を示す情報を抽出することを特徴とする付記１５に記載の情報提供方法。
【０２１８】
（付記１７）前記記憶部は、前記構図を示す情報を、前記作物の種別と前記作物の生育段階と前記作物を撮影する撮影対象との組み合わせごとに記憶しており、
前記コンピュータが、前記対象圃場で行われる農作業の作業予定を示す作業予定情報に基づいて、前記対象圃場で栽培されている作物を撮影する撮影対象を特定する処理を実行し、
前記構図を示す情報を抽出する処理は、
前記記憶部の中から、特定した前記撮影対象と抽出した前記作物情報から特定される作物の種別と前記作物の生育段階との組み合わせに対応する構図を示す情報を抽出することを特徴とする付記１５または１６に記載の情報提供方法。
【０２１９】
（付記１８）コンピュータに、
撮影対象とする圃場を特定可能な情報を撮影装置から受信し、
作物を撮影する際の撮影画像の構図を示す情報を前記作物に対して複数記憶する記憶部の中から、受信した前記情報に基づいて特定された圃場に基づいて決定された該構図を示す情報を抽出し、
抽出した前記構図を示す情報を前記撮影装置に送信する、
処理を実行させることを特徴とする情報提供プログラム。
【符号の説明】
【０２２０】
１０１  撮影装置
１０２  情報提供装置
１３０  構図ＤＢ
８０１  取得部
８０２，１３０４  送信部
８０３，１３０１  受信部
８０４  表示制御部
８０５  出力部
１３０２，２００１  特定部
１３０３，２００２  抽出部
【国際調査報告】
2013030965.tif 000024
2013030965.tif 000025
2013030965.tif 000026
2013030965.tif 000027